(57)【要約】  ワイヤレス通信のための方法、システム、およびデバイスが説明される。ユーザ機器(UE)は、第1の送信時間間隔(TTI)持続時間を有する第1のアップリンク制御チャネル上でスケジューリング要求(SR)が送信されるべきであることを特定し、第1のTTI持続時間より長い第2のTTI持続時間を有する第2のアップリンク制御チャネル上での送信を肯定応答/否定応答(ACK/NACK)情報がスケジューリングされていることを特定することができ、第1のアップリンク制御チャネルおよび第2のアップリンク制御チャネルは時間的に重複する。UEは、重複している第1のアップリンク制御チャネルおよび第2のアップリンク制御チャネルに基づいて、第1のアップリンク制御チャネル上でSRとともにACK/NACK情報が送信されるべきであると決定することができ、SRおよびACK/NACK情報の送信のために使用されるべき第1のアップリンク制御チャネルのリソースを決定することができる。UEは、決定されたリソース上でSRおよびACK/NACK情報を送信することができる。
2021513258.tif 000002
【特許請求の範囲】
【請求項１】
ユーザ機器(UE)におけるワイヤレス通信のための方法であって、
第1の送信時間間隔(TTI)持続時間を有する第1のアップリンク制御チャネルメッセージ上でスケジューリング要求(SR)が送信されるべきであることを特定するステップと、
前記第1のTTI持続時間より長い第2のTTI持続時間を有する第2のアップリンク制御チャネルメッセージ上での送信について肯定応答/否定応答(ACK/NACK)情報がスケジューリングされていることを特定するステップであって、前記第1のアップリンク制御チャネルメッセージおよび前記第2のアップリンク制御チャネルメッセージが時間的に重複する、ステップと、
前記第1のアップリンク制御チャネルメッセージが前記第2のアップリンク制御チャネルメッセージと重複することに少なくとも一部基づいて、前記第1のアップリンク制御チャネルメッセージ上で前記SRとともに前記ACK/NACK情報が送信されるべきであると決定するステップと、
前記SRおよび前記ACK/NACK情報の送信のために使用されるべき前記第1のアップリンク制御チャネルメッセージのリソースを決定するステップと、
前記第1のアップリンク制御チャネルメッセージの前記決定されたリソース上で前記SRおよび前記ACK/NACK情報を送信するステップと
を備える、方法。
【請求項２】
前記ACK/NACK情報のサイズに少なくとも一部基づいて前記第1のアップリンク制御チャネルメッセージのフォーマットを決定するステップであって、前記第1のアップリンク制御チャネルメッセージの前記フォーマットが複数のリソースに対応する、ステップと、
前記フォーマットに従って前記SRおよび前記ACK/NACK情報を送信するための前記複数のリソースのうちの第1のリソースを示すSR構成を特定するステップであって、前記決定されたリソースが前記第1のリソースを備える、ステップとをさらに備える、請求項1に記載の方法。
【請求項３】
前記ACK/NACK情報が、前記第2のTTI持続時間を使用する通信と関連付けられる、請求項2に記載の方法。
【請求項４】
前記第1のアップリンク制御チャネルメッセージの前記フォーマットを決定するステップが、
前記第1のTTI持続時間に少なくとも一部基づいて前記フォーマットを特定するステップを備え、前記第1のTTI持続時間がスロットまたは前記スロットより短い持続時間のうちの1つを備え、前記フォーマットが短物理アップリンク制御チャネル(sPUCCH)フォーマット3またはsPUCCHフォーマット4を備える、請求項2に記載の方法。
【請求項５】
前記SR構成を特定するステップが、
前記ACK/NACK情報、または前記SR、またはこれらの組合せの前記送信のために、構成のセットから前記SR構成を特定するステップを備える、請求項2に記載の方法。
【請求項６】
前記構成のセットのうちの第1の構成が、前記SRが前記第1のアップリンク制御チャネルメッセージ上で送信されるべきか、または前記第2のアップリンク制御チャネルメッセージ上で送信されるべきかの指示を備える、請求項5に記載の方法。
【請求項７】
前記構成のセットのうちの第2の構成が、SRの前記送信が延期されるべきであるかどうかを示す、請求項5に記載の方法。
【請求項８】
前記構成のセットのうちの第3の構成が、前記第2のアップリンク制御チャネルメッセージが省略されるべきであることを示す、請求項5に記載の方法。
【請求項９】
前記構成のセットのうちの第4の構成が、前記第2のアップリンク制御チャネルメッセージおよび前記ACK/NACK情報が省略されるべきであることを示す、請求項5に記載の方法。
【請求項１０】
前記SR構成が、ダウンリンク制御情報(DCI)、無線リソース制御(RRC)メッセージング、またはこれらの組合せを介して受信される、請求項2に記載の方法。
【請求項１１】
前記SR構成があらかじめ構成される、請求項2に記載の方法。
【請求項１２】
前記ACK/NACK情報のサイズが2ビットより大きいと決定するステップをさらに備える、請求項1に記載の方法。
【請求項１３】
前記ACK/NACK情報のサイズに少なくとも一部基づいて前記第1のアップリンク制御チャネルメッセージのフォーマットを決定するステップであって、前記第1のアップリンク制御チャネルメッセージの前記フォーマットが複数のリソースに対応する、ステップと、
前記フォーマットに従って前記SRおよび前記ACK/NACK情報を送信するために使用されるべき前記複数のリソースのうちの2つ以上のリソースを示すSR構成を特定するステップであって、前記決定されるリソースが前記SR構成に基づいて前記2つ以上のリソースから選択される、ステップとをさらに備える、請求項1に記載の方法。
【請求項１４】
前記第1のアップリンク制御チャネルメッセージの前記リソースに対するコーディングレート閾値を特定するステップをさらに備え、前記第1のアップリンク制御チャネルメッセージの前記リソースを決定するステップが、
前記コーディングレート閾値、前記ACK/NACK情報の前記サイズ、巡回冗長検査(CRC)ビットの数に少なくとも一部基づいて、前記2つ以上のリソースから前記リソースを決定するステップを備える、請求項13に記載の方法。
【請求項１５】
前記2つ以上のリソースから、第1のリソースのコーディングレートが前記第1のリソースのペイロードサイズに基づく前記コーディングレート閾値を満たすように、前記SRおよび前記ACK/NACK情報を送信するための前記第1のリソースを選択するステップをさらに備え、前記第1のリソースが、前記2つ以上のリソースのうちで最小のリソースである、請求項14に記載の方法。
【請求項１６】
前記2つ以上のリソースから、前記SRおよび前記ACK/NACK情報を送信するための第1のリソースを選択するステップと、
前記第1のリソースのペイロードサイズに基づいて、前記第1のリソースが前記コーディングレート閾値を満たさないと決定するステップと、
前記2つ以上のリソースから、第2のリソースのコーディングレートが前記コーディングレート閾値を満たすように前記第2のリソースを選択するステップとをさらに備え、前記第2のリソースが前記第1のリソースより大きい、請求項14に記載の方法。
【請求項１７】
前記2つ以上のリソースの各々がある数のリソースブロック(RB)にマッピングされる、請求項16に記載の方法。
【請求項１８】
前記第1のアップリンク制御チャネルメッセージの前記フォーマットを決定するステップが、
前記第1のTTI持続時間に少なくとも一部基づいて前記フォーマットを特定するステップを備え、前記第1のTTI持続時間がスロットまたは前記スロットより短い持続時間のうちの1つを備え、前記フォーマットが短物理アップリンク制御チャネル(sPUCCH)フォーマット3またはsPUCCHフォーマット4を備える、請求項16に記載の方法。
【請求項１９】
前記ACK/NACK情報のサイズに少なくとも一部基づいて前記第1のアップリンク制御チャネルメッセージのフォーマットを決定するステップであって、前記第1のアップリンク制御チャネルメッセージの前記フォーマットが複数のリソースに対応する、ステップと、
前記UEに示された前記決定されたフォーマットを有する前記第1のアップリンク制御チャネルメッセージの直近の事例を特定するステップとをさらに備え、前記SRおよび前記ACK/NACK情報の送信のために使用されるべき前記第1のアップリンク制御チャネルメッセージの前記リソースを決定するステップが、前記直近の事例、または前記決定されたフォーマット、またはこれらの組合せに少なくとも一部基づく、請求項1に記載の方法。
【請求項２０】
前記第1のアップリンク制御チャネルメッセージの前記フォーマットを決定するステップが、
前記第1のTTI持続時間に少なくとも一部基づいて前記リソースのためのフォーマット構成を特定するステップを備え、前記第1のTTI持続時間がスロットまたは前記スロットより短い持続時間を備え、前記フォーマットが短物理アップリンク制御チャネル(sPUCCH)フォーマット3またはsPUCCHフォーマット4を備える、請求項19に記載の方法。
【請求項２１】
前記第1のアップリンク制御チャネルメッセージに対するACK/NACKリソースインジケータ(ARI)を備えるダウンリンク制御情報(DCI)の不在を決定するステップをさらに備え、前記SRおよび前記ACK/NACK情報の送信に使用されるべき前記第1のアップリンク制御チャネルメッセージの前記リソースを決定するステップが前記DCIの前記不在に基づく、請求項1に記載の方法。
【請求項２２】
前記SRが前記第1のアップリンク制御チャネルメッセージ上で送信されるべきであることを示すSR構成を受信するステップをさらに備える、請求項1に記載の方法。
【請求項２３】
ユーザ機器(UE)におけるワイヤレス通信のための方法であって、
アップリンク制御メッセージのために使用されるべきアップリンク制御チャネルの複数の制御チャネルリソースの指示を受信するステップと、
前記アップリンク制御メッセージに対するコーディングレート閾値を特定するステップと、
前記アップリンク制御メッセージのペイロードサイズを決定するステップと、
前記複数の制御チャネルリソースから、前記コーディングレート閾値および前記アップリンク制御メッセージの前記決定されたペイロードサイズに少なくとも一部基づいて、制御チャネルリソースを選択するステップと、
前記選択された制御チャネルリソースを使用して、前記アップリンク制御メッセージを基地局に送信するステップと
を備える、方法。
【請求項２４】
前記制御チャネルリソースを選択するステップが、
前記コーディングレート閾値、前記アップリンク制御メッセージ内の肯定応答/否定応答(ACK/NACK)情報のサイズ、および前記アップリンク制御メッセージのための巡回冗長検査(CRC)ビットの数に少なくとも一部基づいて、前記制御チャネルリソースを選択するステップを備える、請求項23に記載の方法。
【請求項２５】
前記制御チャネルリソースを選択するステップが、
前記制御チャネルリソースのコーディングレートが前記コーディングレート閾値を満たすように前記制御チャネルリソースを選択するステップを備え、前記制御チャネルリソースが、前記複数の制御チャネルリソースのうちで最小のリソースである、請求項23に記載の方法。
【請求項２６】
前記制御チャネルリソースを選択するステップが、
前記複数の制御チャネルリソースから前記制御チャネルリソースを選択するステップと、
前記アップリンク制御メッセージの前記ペイロードサイズに基づいて、前記制御チャネルリソースが前記コーディングレート閾値を満たさないと決定するステップと、
前記複数の制御チャネルリソースから、第2の制御チャネルリソースのコーディングレートが前記コーディングレート閾値を満たすように、前記第2の制御チャネルリソースを選択するステップとを備え、前記第2の制御チャネルリソースが前記制御チャネルリソースより大きい、請求項23に記載の方法。
【請求項２７】
前記アップリンク制御メッセージのために前記複数の制御チャネルリソースのうちのいずれを使用すべきかの指示を受信するステップをさらに備え、前記指示がダウンリンク制御情報(DCI)の肯定応答/否定応答(ACK/NACK)リソースインジケータを介して受信される、請求項23に記載の方法。
【請求項２８】
前記アップリンク制御メッセージのフォーマットが短物理アップリンク制御チャネル(sPUCCH)フォーマット4である、請求項23に記載の方法。
【請求項２９】
基地局におけるワイヤレス通信のための方法であって、
アップリンク制御メッセージのフォーマットおよびコーディングレート閾値に少なくとも一部基づいて、前記アップリンク制御メッセージの送信のためのアップリンク制御チャネルの複数のリソースを構成するステップであって、前記アップリンク制御メッセージが第2の送信時間間隔(TTI)持続時間より短い第1のTTI持続時間を有する、ステップと、
ユーザ機器(UE)に、前記アップリンク制御メッセージのために使用すべき前記アップリンク制御チャネルの前記複数のリソースの指示を送信するステップと
を備える、方法。
【請求項３０】
前記指示を送信するステップが、
ダウンリンク制御情報(DCI)の肯定応答/否定応答(ACK/NACK)リソースインジケータを介して前記指示を送信するステップを備える、請求項29に記載の方法。
【請求項３１】
前記複数のリソースの各々がある数のリソースブロック(RB)にマッピングされる、請求項29に記載の方法。
【請求項３２】
前記フォーマットが短物理アップリンク制御チャネル(sPUCCH)フォーマット4を備える、請求項29に記載の方法。
【請求項３３】
ワイヤレス通信のための装置であって、
プロセッサと、
前記プロセッサと電子的に通信しているメモリと、
前記メモリに記憶された命令とを備え、前記命令が、前記装置に、
第1の送信時間間隔(TTI)持続時間を有する第1のアップリンク制御チャネルメッセージ上でスケジューリング要求(SR)が送信されるべきであることを特定することと、
前記第1のTTI持続時間より長い第2のTTI持続時間を有する第2のアップリンク制御チャネルメッセージ上での送信について肯定応答/否定応答(ACK/NACK)情報がスケジューリングされていることを特定することであって、前記第1のアップリンク制御チャネルメッセージおよび前記第2のアップリンク制御チャネルメッセージが時間的に重複する、ことと、
前記第1のアップリンク制御チャネルメッセージが前記第2のアップリンク制御チャネルメッセージと重複することに少なくとも一部基づいて、前記第1のアップリンク制御チャネルメッセージ上で前記SRとともに前記ACK/NACK情報が送信されるべきであると決定することと、
前記SRおよび前記ACK/NACK情報の送信のために使用されるべき前記第1のアップリンク制御チャネルメッセージのリソースを決定することと、
前記第1のアップリンク制御チャネルメッセージの前記決定されたリソース上で前記SRおよび前記ACK/NACK情報を送信することと
をさせるように前記プロセッサによって実行可能である、装置。
【請求項３４】
ワイヤレス通信のための装置であって、
プロセッサと、
前記プロセッサと電子的に通信しているメモリと、
前記メモリに記憶された命令とを備え、前記命令が、前記装置に、
アップリンク制御メッセージのために使用されるべきアップリンク制御チャネルの複数の制御チャネルリソースの指示を受信することと、
前記アップリンク制御メッセージに対するコーディングレート閾値を特定することと、
前記アップリンク制御メッセージのペイロードサイズを決定することと、
前記複数の制御チャネルリソースから、前記コーディングレート閾値および前記アップリンク制御メッセージの前記決定されたペイロードサイズに少なくとも一部基づいて、制御チャネルリソースを選択することと、
前記選択された制御チャネルリソースを使用して、前記アップリンク制御メッセージを基地局へ送信することと
をさせるように前記プロセッサによって実行可能である、装置。
【請求項３５】
ワイヤレス通信のための装置であって、
プロセッサと、
前記プロセッサと電子的に通信しているメモリと、
前記メモリに記憶された命令とを備え、前記命令が、前記装置に、
アップリンク制御チャネルのフォーマットを特定することであって、前記アップリンク制御チャネルが、第2の送信時間間隔(TTI)持続時間より短い第1のTTI持続時間を有する、ことと、
アップリンク制御メッセージに対するコーディングレート閾値を決定することと、
前記フォーマットおよび前記コーディングレート閾値に少なくとも一部基づいて、前記アップリンク制御メッセージの送信のために前記アップリンク制御チャネルの複数のリソースを構成することと、
ユーザ機器(UE)へ、前記アップリンク制御メッセージのために使用すべき前記アップリンク制御チャネルの前記複数のリソースの指示を送信することと
をさせるように前記プロセッサによって実行可能である、装置。
【請求項３６】
ワイヤレス通信のための装置であって、
第1の送信時間間隔(TTI)持続時間を有する第1のアップリンク制御チャネルメッセージ上でスケジューリング要求(SR)が送信されるべきであることを特定するための手段と、
前記第1のTTI持続時間より長い第2のTTI持続時間を有する第2のアップリンク制御チャネルメッセージ上での送信について肯定応答/否定応答(ACK/NACK)情報がスケジューリングされていることを特定するための手段であって、前記第1のアップリンク制御チャネルメッセージおよび前記第2のアップリンク制御チャネルメッセージが時間的に重複する、手段と、
前記第1のアップリンク制御チャネルメッセージが前記第2のアップリンク制御チャネルメッセージと重複することに少なくとも一部基づいて、前記第1のアップリンク制御チャネルメッセージ上で前記SRとともに前記ACK/NACK情報が送信されるべきであると決定するための手段と、
前記SRおよび前記ACK/NACK情報の送信のために使用されるべき前記第1のアップリンク制御チャネルメッセージのリソースを決定するための手段と、
前記第1のアップリンク制御チャネルメッセージの前記決定されたリソース上で前記SRおよび前記ACK/NACK情報を送信するための手段と
を備える、装置。
【請求項３７】
前記ACK/NACK情報のサイズに少なくとも一部基づいて前記第1のアップリンク制御チャネルメッセージのフォーマットを決定するための手段であって、前記第1のアップリンク制御チャネルメッセージの前記フォーマットが複数のリソースに対応する、手段と、
前記フォーマットに従って前記SRおよび前記ACK/NACK情報を送信するために使用されるべき前記複数のリソースのうちの第1のリソースを示すSR構成を特定するための手段であって、前記決定されたリソースが前記第1のリソースを備える、手段とをさらに備える、請求項36に記載の装置。
【請求項３８】
前記第1のアップリンク制御チャネルメッセージの前記フォーマットを決定するための前記手段がさらに、
前記第1のTTI持続時間に少なくとも一部基づいて前記フォーマットを特定するための手段を備え、前記第1のTTI持続時間がスロットまたは前記スロットより短い持続時間のうちの1つを備え、前記フォーマットが短物理アップリンク制御チャネル(sPUCCH)フォーマット3またはsPUCCHフォーマット4を備える、請求項37に記載の装置。
【請求項３９】
前記SR構成を特定するための前記手段がさらに、
前記ACK/NACK情報、または前記SR、またはこれらの組合せの前記送信のために、構成のセットから前記SR構成を特定するための手段を備える、請求項37に記載の装置。
【請求項４０】
前記構成のセットのうちの第1の構成が、前記SRが前記第1のアップリンク制御チャネルメッセージ上で送信されるべきか、または前記第2のアップリンク制御チャネルメッセージ上で送信されるべきかの指示を備える、請求項39に記載の装置。
【請求項４１】
前記構成のセットのうちの第2の構成が、SRの前記送信が延期されるべきであるかどうかを示す、請求項39に記載の装置。
【請求項４２】
前記構成のセットのうちの第3の構成が、前記第2のアップリンク制御チャネルメッセージが省略されるべきであることを示す、請求項39に記載の装置。
【請求項４３】
前記構成のセットのうちの第4の構成が、前記第2のアップリンク制御チャネルメッセージおよび前記ACK/NACK情報が省略されるべきであることを示す、請求項39に記載の装置。
【請求項４４】
前記SR構成が、ダウンリンク制御情報(DCI)、無線リソース制御(RRC)メッセージング、またはこれらの組合せを介して受信される、請求項37に記載の装置。
【請求項４５】
前記SR構成があらかじめ構成される、請求項37に記載の装置。
【請求項４６】
前記ACK/NACK情報のサイズが2ビットより大きいと決定するための手段をさらに備える、請求項36に記載の装置。
【請求項４７】
前記ACK/NACK情報のサイズに少なくとも一部基づいて前記第1のアップリンク制御チャネルメッセージのフォーマットを決定するための手段であって、前記第1のアップリンク制御チャネルメッセージの前記フォーマットが複数のリソースに対応する、手段と、
前記フォーマットに従って前記SRおよび前記ACK/NACK情報を送信するために使用されるべき前記複数のリソースのうちの2つ以上のリソースを示すSR構成を特定するための手段であって、前記決定されるリソースが前記SR構成に基づいて前記2つ以上のリソースから選択される、手段とをさらに備える、請求項36に記載の装置。
【請求項４８】
前記第1のアップリンク制御チャネルメッセージの前記リソースに対するコーディングレート閾値を特定するための手段をさらに備え、前記第1のアップリンク制御チャネルメッセージの前記リソースを決定するための前記手段が、
前記コーディングレート閾値、前記ACK/NACK情報の前記サイズ、巡回冗長検査(CRC)ビットの数に少なくとも一部基づいて、前記2つ以上のリソースから前記リソースを決定するための手段を備える、請求項47に記載の装置。
【請求項４９】
前記2つ以上のリソースから、第1のリソースのコーディングレートが前記第1のリソースのペイロードサイズに基づく前記コーディングレート閾値を満たすように、前記SRおよび前記ACK/NACK情報を送信するための前記第1のリソースを選択するための手段をさらに備え、前記第1のリソースが、前記2つ以上のリソースのうちで最小のリソースである、請求項48に記載の装置。
【請求項５０】
前記2つ以上のリソースから、前記SRおよび前記ACK/NACK情報を送信するための第1のリソースを選択するための手段と、
前記第1のリソースのペイロードサイズに基づいて、前記第1のリソースが前記コーディングレート閾値を満たさないと決定するための手段と、
前記2つ以上のリソースから、第2のリソースのコーディングレートが前記コーディングレート閾値を満たすように前記第2のリソースを選択するための手段とをさらに備え、前記第2のリソースが前記第1のリソースより大きい、請求項48に記載の装置。
【請求項５１】
前記2つ以上のリソースの各々がある数のリソースブロック(RB)にマッピングされる、請求項47に記載の装置。
【請求項５２】
前記第1のアップリンク制御チャネルメッセージの前記フォーマットを決定するための前記手段がさらに、
前記第1のTTI持続時間に少なくとも一部基づいて前記フォーマットを特定するための手段を備え、前記第1のTTI持続時間がスロットまたは前記スロットより短い持続時間のうちの1つを備え、前記フォーマットが短物理アップリンク制御チャネル(sPUCCH)フォーマット3またはsPUCCHフォーマット4を備える、請求項47に記載の装置。
【請求項５３】
前記ACK/NACK情報のサイズに少なくとも一部基づいて前記第1のアップリンク制御チャネルメッセージのフォーマットを決定するための手段であって、前記第1のアップリンク制御チャネルメッセージの前記フォーマットが複数のリソースに対応する、手段と、
前記UEに示された前記決定されたフォーマットを有する前記第1のアップリンク制御チャネルメッセージの直近の事例を特定するための手段とをさらに備え、前記SRおよび前記ACK/NACK情報の送信のために使用されるべき前記第1のアップリンク制御チャネルメッセージの前記リソースを決定することが、前記直近の事例、または前記決定されたフォーマット、またはこれらの組合せに少なくとも一部基づく、請求項36に記載の装置。
【請求項５４】
前記第1のアップリンク制御チャネルメッセージの前記フォーマットを決定するための前記手段がさらに、
前記第1のTTI持続時間に少なくとも一部基づいて前記リソースのためのフォーマット構成を特定するための手段を備え、前記第1のTTI持続時間がスロットまたは前記スロットより短い持続時間を備え、前記フォーマットが短物理アップリンク制御チャネル(sPUCCH)フォーマット3またはsPUCCHフォーマット4を備える、請求項53に記載の装置。
【請求項５５】
前記第1のアップリンク制御チャネルメッセージに対するACK/NACKリソースインジケータ(ARI)を備えるダウンリンク制御情報(DCI)の不在を決定するための手段をさらに備え、前記SRおよび前記ACK/NACK情報の送信に使用されるべき前記第1のアップリンク制御チャネルメッセージの前記リソースを決定することが前記DCIの前記不在に基づく、請求項36に記載の装置。
【請求項５６】
前記SRが前記第1のアップリンク制御チャネルメッセージ上で送信されるべきであることを示すSR構成を受信するための手段をさらに備える、請求項36に記載の装置。
【請求項５７】
ワイヤレス通信のための装置であって、
アップリンク制御メッセージのために使用されるべきアップリンク制御チャネルの複数の制御チャネルリソースの指示を受信するための手段と、
前記アップリンク制御メッセージに対するコーディングレート閾値を特定するための手段と、
前記アップリンク制御メッセージのペイロードサイズを決定するための手段と、
前記複数の制御チャネルリソースから、前記コーディングレート閾値および前記アップリンク制御メッセージの前記決定されたペイロードサイズに少なくとも一部基づいて、制御チャネルリソースを選択するための手段と、
前記選択された制御チャネルリソースを使用して、前記アップリンク制御メッセージを基地局に送信するための手段と
を備える、装置。
【請求項５８】
前記制御チャネルリソースを選択するための前記手段がさらに、
前記コーディングレート閾値、前記アップリンク制御メッセージ内の肯定応答/否定応答(ACK/NACK)情報のサイズ、および前記アップリンク制御メッセージのための巡回冗長検査(CRC)ビットの数に少なくとも一部基づいて、前記制御チャネルリソースを選択するための手段を備える、請求項57に記載の装置。
【請求項５９】
前記制御チャネルリソースを選択するための前記手段がさらに、
前記制御チャネルリソースのコーディングレートが前記コーディングレート閾値を満たすように前記制御チャネルリソースを選択するための手段を備え、前記制御チャネルリソースが、前記複数の制御チャネルリソースのうちで最小のリソースである、請求項57に記載の装置。
【請求項６０】
前記制御チャネルリソースを選択するための前記手段がさらに、
前記複数の制御チャネルリソースから前記制御チャネルリソースを選択するための手段と、
前記アップリンク制御メッセージの前記ペイロードサイズに基づいて、前記制御チャネルリソースが前記コーディングレート閾値を満たさないと決定するための手段と、
前記複数の制御チャネルリソースから、第2の制御チャネルリソースのコーディングレートが前記コーディングレート閾値を満たすように、前記第2の制御チャネルリソースを選択するための手段とを備え、前記第2の制御チャネルリソースが前記制御チャネルリソースより大きい、請求項57に記載の装置。
【請求項６１】
前記アップリンク制御メッセージのために前記複数の制御チャネルリソースのうちのいずれを使用すべきかの指示を受信するための手段をさらに備え、前記指示がダウンリンク制御情報(DCI)の肯定応答/否定応答(ACK/NACK)リソースインジケータを介して受信される、請求項57に記載の装置。
【請求項６２】
前記アップリンク制御チャネルのフォーマットが短物理アップリンク制御チャネル(sPUCCH)フォーマット4である、請求項57に記載の装置。
【請求項６３】
ワイヤレス通信のための装置であって、
アップリンク制御メッセージのフォーマットおよびコーディングレート閾値に少なくとも一部基づいて、前記アップリンク制御メッセージの送信のためのアップリンク制御チャネルの複数のリソースを構成するための手段であって、前記アップリンク制御メッセージが第2の送信時間間隔(TTI)持続時間より短い第1のTTI持続時間を有する、手段と、
ユーザ機器(UE)に、前記アップリンク制御メッセージのために使用すべき前記アップリンク制御チャネルの前記複数のリソースの指示を送信するための手段と
を備える、装置。
【請求項６４】
前記指示を送信するための前記手段がさらに、
ダウンリンク制御情報(DCI)の肯定応答/否定応答(ACK/NACK)リソースインジケータを介して前記指示を送信するための手段を備える、請求項63に記載の装置。
【請求項６５】
前記複数のリソースの各々がある数のリソースブロック(RB)にマッピングされる、請求項63に記載の装置。
【発明の詳細な説明】
【技術分野】
【０００１】
相互参照
本特許出願は、各々が本出願の譲受人に譲渡される、2018年2月7日に出願された、「Collision Avoidance for Scheduling Requests and Uplink Control Information」と題する、Hosseiniらによる米国特許仮出願第62/627,620号、および2019年2月4日に出願された、「Collision Avoidance for Scheduling Requests and Uplink Control Information」と題する、Hosseiniらによる米国特許出願第16/267,326号の利益を主張する。
【０００２】
以下は、全般にワイヤレス通信に関し、より具体的には、スケジューリング要求(SR)およびアップリンク制御情報(UCI)のためのコリジョンの回避に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例には、Long Term Evolution (LTE)システム、LTE-Advanced (LTE-A)システムまたはLTE-A Proシステムなどの第4世代(4G)システム、およびNew Radio (NR)システムと呼ばれることがある第5世代(5G)システムがある。これらのシステムは、符号分割多元接続(CDMA)、時分割多元接続(TDMA)、周波数分割多元接続(FDMA)、直交周波数多元接続(OFDMA)、または離散フーリエ変換拡散OFDM(DFT-S-OFDM)などの技法を利用し得る。ワイヤレス多元接続通信システムは、場合によってはユーザ機器(UE)として知られていることがある複数の通信デバイスのための通信を各々が同時にサポートする、いくつかの基地局またはネットワークアクセスノードを含み得る。
【発明の概要】
【発明が解決しようとする課題】
【０００４】
一部のワイヤレス通信システムでは、UEは、1つより多くのチャネル上で同時に送信すべきアップリンク制御情報を有し得る。複数のチャネル上での同時送信の能力を欠いているUEは、アップリンク送信同士のコリジョンに遭遇し得る。そのようなコリジョンは、解決されなければ、チャネルのうちの1つまたは複数でのスループットを低下させ得る。さらに、UEは、コリジョンの際にどのリソース上でアップリンク制御情報を送信すべきかを知らないことがあり、このことは、データを基地局へ送信するUEの能力に影響を及ぼし得る。
【課題を解決するための手段】
【０００５】
説明される技法は、スケジューリング要求(SR)およびアップリンク制御情報のためのコリジョンの回避をサポートする、改善された方法、システム、デバイス、または装置に関する。全般に、説明される技法は、短物理アップリンク制御チャネル(sPUCCH)と物理アップリンク制御チャネルおよび/または物理アップリンク共有チャネル(PUCCH/PUSCH)が衝突し、UEにsPUCCHとPUCCH/PUSCHの同時送信の能力がない可能性があるとき、アップリンク制御情報(UCI)の送信のためにsPUCCHリソースを選択することを可能にする。たとえば、ユーザ機器(UE)は、sPUCCH上で送信されるべきSRと、同時にPUCCH/PUSCH上での送信をスケジューリングされているハイブリッド自動再送要求(HARQ)フィードバックとのコリジョンを特定し得る(たとえば、sPUCCHとPUCCH/PUSCHが時間的に重複する場合)。そのような場合、HARQフィードバックおよびSRは、sPUCCH上で送信されるように連結されてよく、UEは、SRおよびHARQフィードバックの送信のためにsPUCCHのどのリソースを使用すべきかを決定することができる。いくつかの例では、SRおよびHARQフィードバックの送信のためのsPUSCH内の1つまたは複数のリソースは、そのような送信のために構成され得る。使用されるべきsPUCCHリソースは、HARQフィードバックの中のビットの数、最大のコーディングレート、スケジューリング要求トリガのタイミング、使用される論理チャネルなどに依存し得る。
【０００６】
ワイヤレス通信の方法が説明される。方法は、第1の送信時間間隔(TTI)持続時間を有する第1のアップリンク制御チャネルメッセージ上でSRが送信されるべきであることを特定するステップと、第1のTTI持続時間より長い第2のTTI持続時間を有する第2のアップリンク制御チャネルメッセージ上での送信について肯定応答/否定応答(ACK/NACK)情報がスケジューリングされていることを特定するステップであって、第1のアップリンク制御チャネルメッセージおよび第2のアップリンク制御チャネルメッセージが時間的に重複する、ステップと、第1のアップリンク制御チャネルメッセージが第2のアップリンク制御チャネルメッセージと重複することに基づいて、ACK/NACK情報が第1のアップリンク制御チャネルメッセージ上でSRとともに送信されるべきであると決定するステップと、SRおよびACK/NACK情報の送信のために使用されるべき第1のアップリンク制御チャネルメッセージのリソースを決定するステップと、第1のアップリンク制御チャネルメッセージの決定されたリソース上でSRおよびACK/NACK情報を送信するステップとを含み得る。
【０００７】
ワイヤレス通信のための装置が説明される。装置は、第1のTTI持続時間を有する第1のアップリンク制御チャネルメッセージ上でSRが送信されるべきであることを特定するための手段と、第1のTTI持続時間より長い第2のTTI持続時間を有する第2のアップリンク制御チャネルメッセージ上での送信についてACK/NACK情報がスケジューリングされていることを特定するための手段であって、第1のアップリンク制御チャネルメッセージおよび第2のアップリンク制御チャネルメッセージが時間的に重複する、手段と、第1のアップリンク制御チャネルメッセージが第2のアップリンク制御チャネルメッセージと重複することに基づいて、ACK/NACK情報が第1のアップリンク制御チャネルメッセージ上でSRとともに送信されるべきであると決定するための手段と、SRおよびACK/NACK情報の送信のために使用されるべき第1のアップリンク制御チャネルメッセージのリソースを決定するための手段と、第1のアップリンク制御チャネルメッセージの決定されたリソース上でSRおよびACK/NACK情報を送信するための手段とを含み得る。
【０００８】
ワイヤレス通信のための別の装置が説明される。装置は、プロセッサと、プロセッサと電子的に通信しているメモリと、メモリに記憶された命令とを含み得る。命令は、プロセッサに、第1のTTI持続時間を有する第1のアップリンク制御チャネルメッセージ上でSRが送信されるべきであることを特定させ、第1のTTI持続時間より長い第2のTTI持続時間を有する第2のアップリンク制御チャネルメッセージ上での送信についてACK/NACK情報がスケジューリングされていることを特定させ、第1のアップリンク制御チャネルメッセージおよび第2のアップリンク制御チャネルメッセージが時間的に重複し、第1のアップリンク制御チャネルメッセージが第2のアップリンク制御チャネルメッセージと重複することに基づいて、ACK/NACK情報が第1のアップリンク制御チャネルメッセージ上でSRとともに送信されるべきであると決定させ、SRおよびACK/NACK情報の送信のために使用されるべき第1のアップリンク制御チャネルメッセージのリソースを決定させ、第1のアップリンク制御チャネルメッセージの決定されたリソース上でSRおよびACK/NACK情報を送信させるように動作可能であり得る。
【０００９】
ワイヤレス通信のための非一時的コンピュータ可読媒体が説明される。非一時的コンピュータ可読媒体は、プロセッサに第1のTTI持続時間を有する第1のアップリンク制御チャネルメッセージ上でSRが送信されるべきであることを特定させ、第1のTTI持続時間より長い第2のTTI持続時間を有する第2のアップリンク制御チャネルメッセージ上での送信についてACK/NACK情報がスケジューリングされていることを特定させ、第1のアップリンク制御チャネルメッセージおよび第2のアップリンク制御チャネルメッセージが時間的に重複し、第1のアップリンク制御チャネルメッセージが第2のアップリンク制御チャネルメッセージと重複することに基づいて、ACK/NACK情報が第1のアップリンク制御チャネルメッセージ上でSRとともに送信されるべきであると決定させ、SRおよびACK/NACK情報の送信のために使用されるべき第1のアップリンク制御チャネルメッセージのリソースを決定させ、第1のアップリンク制御チャネルメッセージの決定されたリソース上でSRおよびACK/NACK情報を送信させるように動作可能な命令を含み得る。
【００１０】
本明細書で説明される方法、装置、および非一時的コンピュータ可読媒体のいくつかの例はさらに、ACK/NACK情報のサイズに基づいて第1のアップリンク制御チャネルメッセージのフォーマットを決定するためのプロセス、特徴、手段、または命令を含むことがあり、第1のアップリンク制御チャネルメッセージのフォーマットはリソースのセットに対応する。本明細書で説明される方法、装置、および非一時的コンピュータ可読媒体のいくつかの例はさらに、フォーマットに従ってSRおよびACK/NACK情報を送信するために使用されるべきリソースのセットからの第1のリソースを示すSR構成を特定するためのプロセス、特徴、手段、または命令を含むことがあり、決定されるリソースは第1のリソースを含む。
【００１１】
本明細書で説明される方法、装置、および非一時的コンピュータ可読媒体のいくつかの例では、ACK/NACK情報は、第2のTTI持続時間を使用する通信と関連付けられる。本明細書で説明される方法、装置、および非一時的コンピュータ可読媒体のいくつかの例では、第1のアップリンク制御チャネルメッセージのフォーマットを決定することは、第1のTTI持続時間に基づいてフォーマットを特定することを含み、第1のTTI持続時間は、スロットまたはスロットより短い持続時間のうちの1つを含み、フォーマットはsPUCCHフォーマット3またはsPUCCHフォーマット4を含む。本明細書で説明される方法、装置、および非一時的コンピュータ可読媒体のいくつかの例では、SR構成を特定することは、ACK/NACK情報、またはSR、またはこれらの組合せの送信のために、構成のセットからSR構成を特定することを含む。
【００１２】
本明細書で説明される方法、装置、および非一時的コンピュータ可読媒体のいくつかの例では、構成のセットのうちの第1の構成は、SRが第1のアップリンク制御チャネルメッセージ上で送信されるべきであり得るか、または第2のアップリンク制御チャネルメッセージ上で送信されるべきであり得るかの指示を含む。本明細書で説明される方法、装置、および非一時的コンピュータ可読媒体のいくつかの例では、構成のセットのうちの第2の構成は、SRの送信が延期されるべきであり得るかどうかを示す。
【００１３】
本明細書で説明される方法、装置、および非一時的コンピュータ可読媒体のいくつかの例では、構成のセットのうちの第3の構成は、第2のアップリンク制御チャネルメッセージが省略されるべきであり得ることを示す。本明細書で説明される方法、装置、および非一時的コンピュータ可読媒体のいくつかの例では、構成のセットのうちの第4の構成は、第2のアップリンク制御チャネルメッセージおよびACK/NACK情報が省略されるべきであり得ることを示す。
【００１４】
本明細書で説明される方法、装置、および非一時的コンピュータ可読媒体のいくつかの例では、SR構成は、ダウンリンク制御情報(DCI)、無線リソース制御(RRC)メッセージング、またはこれらの組合せを介して受信され得る。本明細書で説明される方法、装置、および非一時的コンピュータ可読媒体のいくつかの例では、SR構成はあらかじめ構成され得る。
【００１５】
本明細書で説明される方法、装置、および非一時的コンピュータ可読媒体のいくつかの例はさらに、ACK/NACK情報のサイズに基づいて第1のアップリンク制御チャネルメッセージのフォーマットを決定するためのプロセス、特徴、手段、または命令を含むことがあり、第1のアップリンク制御チャネルメッセージのフォーマットはリソースのセットに対応する。本明細書で説明される方法、装置、および非一時的コンピュータ可読媒体のいくつかの例はさらに、フォーマットに従ってSRおよびACK/NACK情報を送信するために使用されるべきリソースのセットからの2つ以上のリソースを示すSR構成を特定するためのプロセス、特徴、手段、または命令を含むことがあり、決定されるリソースはSR構成に基づいて2つ以上のリソースから選択され得る。
【００１６】
本明細書で説明される方法、装置、および非一時的コンピュータ可読媒体のいくつかの例はさらに、第1のアップリンク制御チャネルメッセージのリソースに対するコーディングレート閾値を特定するためのプロセス、特徴、手段、または命令を含み得る。本明細書で説明される方法、装置、および非一時的コンピュータ可読媒体のいくつかの例では、第1のアップリンク制御チャネルメッセージのリソースを決定することは、コーディングレート閾値、ACK/NACK情報のサイズ、および巡回冗長検査(CRC)ビットの数に基づいて、2つ以上のリソースからリソースを決定することを含む。
【００１７】
本明細書で説明される方法、装置、および非一時的コンピュータ可読媒体のいくつかの例はさらに、2つ以上のリソースから、第1のリソースのコーディングレートが第1のリソースのペイロードサイズに基づくコーディングレート閾値を満たすように、SRおよびACK/NACK情報を送信するための第1のリソースを選択するためのプロセス、特徴、手段、または命令を含むことがあり、第1のリソースは、2つ以上のリソースのうちで最小のリソースであり得る。
【００１８】
本明細書で説明される方法、装置、および非一時的コンピュータ可読媒体のいくつかの例はさらに、2つ以上のリソースから、SRおよびACK/NACK情報を送信するための第1のリソースを選択するためのプロセス、特徴、手段、または命令を含み得る。本明細書で説明される方法、装置、および非一時的コンピュータ可読媒体のいくつかの例はさらに、第1のリソースが第1のリソースのペイロードサイズに基づくコーディングレート閾値を満たさないと決定するためのプロセス、特徴、手段、または命令を含み得る。本明細書で説明される方法、装置、および非一時的コンピュータ可読媒体のいくつかの例はさらに、2つ以上のリソースから、第2のリソースのコーディングレートがコーディングレート閾値を満たすように、第2のリソースを選択するためのプロセス、特徴、手段、または命令を含むことがあり、第2のリソースは第1のリソースより大きいことがある。
【００１９】
本明細書で説明される方法、装置、および非一時的コンピュータ可読媒体のいくつかの例では、2つ以上のリソースの各々は、ある数のリソースブロック(RB)にマッピングされ得る。
【００２０】
本明細書で説明される方法、装置、および非一時的コンピュータ可読媒体のいくつかの例では、第1のアップリンク制御チャネルメッセージのフォーマットを決定することは、第1のTTI持続時間に基づいてフォーマットを特定することを含み、第1のTTI持続時間は、スロットまたはスロットより短い持続時間のうちの1つを含み、フォーマットはsPUCCHフォーマット3またはsPUCCHフォーマット4を含む。
【００２１】
本明細書で説明される方法、装置、および非一時的コンピュータ可読媒体のいくつかの例はさらに、ACK/NACK情報のサイズに基づいて第1のアップリンク制御チャネルメッセージのフォーマットを決定するためのプロセス、特徴、手段、または命令を含むことがあり、第1のアップリンク制御チャネルメッセージのフォーマットはリソースのセットに対応する。本明細書で説明される方法、装置、および非一時的コンピュータ可読媒のいくつかの例はさらに、UEに示された決定されたフォーマットを有する第1のアップリンク制御チャネルメッセージの直近の事例を特定するためのプロセス、特徴、手段、または命令を含むことがあり、SRおよびACK/NACK情報の送信に使用されるべき第1のアップリンク制御チャネルメッセージのリソースを決定することは、直近の事例、または決定されたフォーマット、またはこれらの組合せに基づくことがある。
【００２２】
本明細書で説明される方法、装置、および非一時的コンピュータ可読媒体のいくつかの例では、第1のアップリンク制御チャネルメッセージのフォーマットを決定することは、第1のTTI持続時間に基づいてリソースに対するフォーマット構成を特定することを含み、第1のTTI持続時間は、スロットまたはスロットより短い持続時間を含み、フォーマットはsPUCCHフォーマット3またはsPUCCHフォーマット4を含む。
【００２３】
本明細書で説明される方法、装置、および非一時的コンピュータ可読媒のいくつかの例はさらに、第1のアップリンク制御チャネルメッセージに対するACK/NACKリソースインジケータ(ARI)を含むDCIの不在を決定するためのプロセス、特徴、手段、または命令を含むことがあり、SRおよびACK/NACK情報の送信のために使用されるべき第1のアップリンク制御チャネルメッセージのリソースを決定することは、DCIの不在に基づくことがある。
【００２４】
本明細書で説明される方法、装置、および非一時的コンピュータ可読媒体のいくつかの例はさらに、SRが第1のアップリンク制御チャネルメッセージ上で送信されるべきであり得ることを示すSR構成を受信するためのプロセス、特徴、手段、または命令を含み得る。本明細書で説明される方法、装置、および非一時的コンピュータ可読媒体のいくつかの例はさらに、ACK/NACK情報のサイズが2ビットより大きい可能性があると決定するためのプロセス、特徴、手段、または命令を含み得る。
【００２５】
ワイヤレス通信の方法が説明される。方法は、アップリンク制御メッセージのために使用されるべきアップリンク制御チャネルの制御チャネルリソースのセットの指示を受信するステップと、アップリンク制御メッセージに対するコーディングレート閾値を特定するステップと、アップリンク制御メッセージのペイロードサイズを決定するステップと、制御チャネルリソースのセットから、コーディングレート閾値およびアップリンク制御メッセージの決定されたペイロードサイズに基づいて制御チャネルリソースを選択するステップと、選択された制御チャネルリソースを使用してアップリンク制御メッセージを基地局に送信するステップとを含み得る。
【００２６】
ワイヤレス通信のための装置が説明される。装置は、アップリンク制御メッセージのために使用されるべきアップリンク制御チャネルの制御チャネルリソースのセットの指示を受信するための手段と、アップリンク制御メッセージに対するコーディングレート閾値を特定するための手段と、アップリンク制御メッセージのペイロードサイズを決定するための手段と、制御チャネルリソースのセットから、コーディングレート閾値およびアップリンク制御メッセージの決定されたペイロードサイズに基づいて制御チャネルリソースを選択するための手段と、選択された制御チャネルリソースを使用してアップリンク制御メッセージを基地局に送信するための手段とを含み得る。
【００２７】
ワイヤレス通信のための別の装置が説明される。装置は、プロセッサと、プロセッサと電子的に通信しているメモリと、メモリに記憶された命令とを含み得る。命令は、プロセッサに、アップリンク制御メッセージのために使用されるべきアップリンク制御チャネルの制御チャネルリソースのセットの指示を受信させ、アップリンク制御メッセージに対するコーディングレート閾値を特定させ、アップリンク制御メッセージのペイロードサイズを決定させ、制御チャネルリソースのセットから、コーディングレート閾値およびアップリンク制御メッセージの決定されたペイロードサイズに基づいて制御チャネルリソースを選択させ、選択された制御チャネルリソースを使用してアップリンク制御メッセージを基地局へ送信させるように動作可能であり得る。
【００２８】
ワイヤレス通信のための非一時的コンピュータ可読媒体が説明される。非一時的コンピュータ可読媒体は、プロセッサに、アップリンク制御メッセージのために使用されるべきアップリンク制御チャネルの制御チャネルリソースのセットの指示を受信させ、アップリンク制御メッセージに対するコーディングレート閾値を特定させ、アップリンク制御メッセージのペイロードサイズを決定させ、制御チャネルリソースのセットから、コーディングレート閾値およびアップリンク制御メッセージの決定されたペイロードサイズに基づいて制御チャネルリソースを選択させ、選択された制御チャネルリソースを使用してアップリンク制御メッセージを基地局へ送信させるように動作可能な命令を含み得る。
【００２９】
本明細書で説明される方法、装置、および非一時的コンピュータ可読媒体のいくつかの例では、制御チャネルリソースを選択することは、コーディングレート閾値、アップリンク制御メッセージ内のACK/NACK情報のサイズ、アップリンク制御メッセージのためのCRCビットの数に基づいて、制御チャネルリソースを選択することを含む。本明細書で説明される方法、装置、および非一時的コンピュータ可読媒体のいくつかの例では、制御チャネルリソースを選択することは、制御チャネルリソースのコーディングレートがコーディングレート閾値を満たすように制御チャネルリソースを選択することを含み、制御チャネルリソースは、制御チャネルリソースのセットのうちで最小のリソースであり得る。
【００３０】
本明細書で説明される方法、装置、および非一時的コンピュータ可読媒体のいくつかの例では、制御チャネルリソースを選択することは、制御チャネルリソースのセットから制御チャネルリソースを選択することを含む。本明細書で説明される方法、装置、および非一時的コンピュータ可読媒体のいくつかの例はさらに、制御チャネルリソースがアップリンク制御メッセージのペイロードサイズに基づくコーディングレート閾値を満たさないと決定するためのプロセス、特徴、手段、または命令を含み得る。本明細書で説明される方法、装置、および非一時的コンピュータ可読媒体のいくつかの例はさらに、制御チャネルリソースのセットから、第2の制御チャネルリソースのコーディングレートがコーディングレート閾値を満たすように、第2の制御チャネルリソースを選択するためのプロセス、特徴、手段、または命令を含むことがあり、第2の制御チャネルリソースは第1の制御チャネルリソースより大きいことがある。
【００３１】
本明細書で説明される方法、装置、および非一時的コンピュータ可読媒体のいくつかの例はさらに、制御チャネルリソースのセットのうちのいずれをアップリンク制御メッセージのために使用すべきかの指示を受信するためのプロセス、特徴、手段、または命令を含むことがあり、この指示はDCIのARIを介して受信されることがある。本明細書で説明される方法、装置、および非一時的コンピュータ可読媒体のいくつかの例では、アップリンク制御チャネルのフォーマットはsPUCCHフォーマット4であり得る。
【００３２】
ワイヤレス通信の方法が説明される。方法は、アップリンク制御メッセージのフォーマットおよびコーディングレート閾値に基づいて、アップリンク制御メッセージの送信のためのアップリンク制御チャネルのリソースのセットを構成するステップであって、アップリンク制御メッセージが第2のTTI持続時間より短い第1のTTI持続時間を有する、ステップと、UEに、アップリンク制御メッセージのために使用すべきアップリンク制御チャネルのリソースのセットの指示を送信するステップとを含み得る。
【００３３】
ワイヤレス通信のための装置が説明される。装置は、アップリンク制御メッセージのフォーマットおよびコーディングレート閾値に基づいて、アップリンク制御メッセージの送信のためのアップリンク制御チャネルのリソースのセットを構成するための手段であって、アップリンク制御メッセージが第2のTTI持続時間より短い第1のTTI持続時間を有する、手段と、UEに、アップリンク制御メッセージのために使用すべきアップリンク制御チャネルのリソースのセットの指示を送信するための手段とを含み得る。
【００３４】
ワイヤレス通信のための別の装置が説明される。装置は、プロセッサと、プロセッサと電子的に通信しているメモリと、メモリに記憶された命令とを含み得る。命令は、プロセッサに、アップリンク制御メッセージのフォーマットおよびコーディングレート閾値に基づいて、アップリンク制御メッセージの送信のためのアップリンク制御チャネルのリソースのセットを構成させ、アップリンク制御メッセージが第2のTTI持続時間より短い第1のTTI持続時間を有し、UEへ、アップリンク制御メッセージのために使用すべきアップリンク制御チャネルのリソースのセットの指示を送信させるように動作可能であり得る。
【００３５】
ワイヤレス通信のための非一時的コンピュータ可読媒体が説明される。非一時的コンピュータ可読媒体は、プロセッサに、アップリンク制御メッセージのフォーマットおよびコーディングレート閾値に基づいて、アップリンク制御メッセージの送信のためのアップリンク制御チャネルのリソースのセットを構成させ、アップリンク制御メッセージが第2のTTI持続時間より短い第1のTTI持続時間を有し、UEへ、アップリンク制御メッセージのために使用すべきアップリンク制御チャネルのリソースのセットの指示を送信させるように動作可能な命令を含み得る。
【００３６】
本明細書で説明される方法、装置、および非一時的コンピュータ可読媒体のいくつかの例では、指示を送信することは、DCIのARIを介して指示を送信することを含む。本明細書で説明される方法、装置、および非一時的コンピュータ可読媒体のいくつかの例では、リソースのセットの各々は、いくつかのRBにマッピングされ得る。本明細書で説明される方法、装置、および非一時的コンピュータ可読媒体のいくつかの例では、フォーマットはsPUCCHフォーマット4を含む。
【図面の簡単な説明】
【００３７】
【図１】本開示の態様による、スケジューリング要求(SR)およびアップリンク制御情報(UCI)のためのコリジョンの回避をサポートするワイヤレス通信システムの例を示す図である。
【図２】本開示の態様による、SRおよびUCIのためのコリジョンの回避をサポートするワイヤレス通信システムの例を示す図である。
【図３】本開示の態様による、SRおよびUCIのためのコリジョンの回避をサポートする時系列の例を示す図である。
【図４】本開示の態様による、SRおよびUCIのためのコリジョンの回避をサポートするシステムにおけるプロセスフローの例を示す図である。
【図５】本開示の態様による、SRおよびUCIのためのコリジョンの回避をサポートするデバイスのブロック図である。
【図６】本開示の態様による、SRおよびUCIのためのコリジョンの回避をサポートするデバイスのブロック図である。
【図７】本開示の態様による、SRおよびUCIのためのコリジョンの回避をサポートするデバイスのブロック図である。
【図８】本開示の態様による、SRおよびUCIのためのコリジョンの回避をサポートするユーザ機器(UE)を含むシステムのブロック図である。
【図９】本開示の態様による、SRおよびUCIのためのコリジョンの回避をサポートするデバイスのブロック図である。
【図１０】本開示の態様による、SRおよびUCIのためのコリジョンの回避をサポートするデバイスのブロック図である。
【図１１】本開示の態様による、SRおよびUCIのためのコリジョンの回避をサポートするデバイスのブロック図である。
【図１２】本開示の態様による、SRおよびUCIのためのコリジョンの回避をサポートする基地局を含むシステムのブロック図である。
【図１３】本開示の態様による、SRおよびUCIのためのコリジョンの回避のための方法を示す図である。
【図１４】本開示の態様による、SRおよびUCIのためのコリジョンの回避のための方法を示す図である。
【図１５】本開示の態様による、SRおよびUCIのためのコリジョンの回避のための方法を示す図である。
【図１６】本開示の態様による、SRおよびUCIのためのコリジョンの回避のための方法を示す図である。
【図１７】本開示の態様による、SRおよびUCIのためのコリジョンの回避のための方法を示す図である。
【発明を実施するための形態】
【００３８】
一部のワイヤレス通信システムは、ワイヤレスデバイス間の送信に異なる送信時間間隔(TTI)持続時間を使用することに対応し得る。例として、ユーザ機器(UE)は、基地局との低レイテンシ通信と非低レイテンシ通信の両方のために構成され得る。UEは、非低レイテンシ通信のために第1のTTIを、低レイテンシ通信のために第2のTTI(たとえば、短縮TTI(sTTI))を使用することができ、sTTIは第1のTTIの持続時間より短い持続時間を有する。第1のTTI(すなわち、より持続時間の長いTTI)はレガシー構成を有し得る。たとえば、より持続時間の長いTTIは、Long Term Evolution (LTE)などの標準化された無線アクセス技術(RAT)に基づくヌメロロジーを有し得る。sTTIは異なるヌメロロジーを利用することがあり、これはより持続時間の長いTTIのヌメロロジーと互換性があることがある。
【００３９】
異なるTTI持続時間を使用するワイヤレス通信は、異なるハイブリッド自動再送要求(HARQ)フィードバックのタイミングを有することがあり、UEは、重複するアップリンク制御情報(UCI)の送信とスケジューリング要求(SR)の送信をスケジューリングされることがある。たとえば、UEは、より持続時間の長いTTIを有するチャネル(たとえば、1ミリ秒(ms)の持続時間を有する非低レイテンシまたはレガシーの物理アップリンク制御チャネル(PUCCH)および/もしくは物理アップリンク共有チャネル(PUSCH))上で送信されるべきHARQフィードバックと、より持続時間の短いTTIを有するチャネル(たとえば、2つまたは3つのシンボル期間、スロットなどを含むsTTIのための短縮PUCCH(sPUCCH))上で送信されるべきSRとを有し得る。いくつかの例では、異なるチャネル上でのHARQフィードバックおよびSRの同時送信は可能ではないことがあり、UEは、UCIをPUCCH上で送信するか、またはsPUCCH上で送信するかを決定することがある。たとえば、肯定応答/否定応答(ACK/NACK)情報が、sPUCCH上でSRとともに送信されることがあり、一方で、重複するPUCCH/PUSCHの送信は、sPUCCHを優先するために省略されることがある。
【００４０】
いくつかの場合、HARQビットの数は、SRおよびACK/NACK情報を送信するために使用されるとき、sPUCCHのフォーマットに影響を及ぼし得る。たとえば、TTIの特定のフォーマット(たとえば、フォーマット1aまたは1b)が、sPUCCH上でHARQ ACK/NACKおよびSRの最大で2ビットを搬送するために使用され得る。別の例では、異なるフォーマット(たとえば、フォーマット4)が、HARQ ACK/NACKおよびSRの2ビットより多くを搬送するために使用され得る。sPUCCHフォーマット4の例示的なフォーマット(たとえば、4つのリソースを有する)では、無線リソース制御(RRC)メッセージによって構成される4つのリソースのうちの1つが、短ダウンリンク制御情報(sDCI)において2ビットのフィールドを介してUEに示され得る。いくつかの例では、UEは、いくつかのチャネルがSRの送信のために使用され得るSR構成を(たとえば、RRCメッセージングを通じて)与えられ得る。したがって、UEは、論理チャネルのためのSR構成、HARQビットの数、およびSRトリガのタイミングに基づいて、どのチャネル(たとえば、PUCCHまたはsPUCCH)、フォーマット、およびリソースを使用するかを決定し得る。しかしながら、いくつかの場合、UEは、ダウンリンクグラント、ダウンリンク制御情報(DCI)、およびACK/NACKリソースインジケータ(ARI)の欠如により、リソースの構成の指示を受信しないことがある。結果として、UEがHARQフィードバックとSRを同じチャネル上で連結することによってコリジョンを回避すると決定し得るが、ACK/NACK情報およびSRの送信のためにそのチャネル上でどのリソースを使用すべきかを認識できないという、状況が生じ得る。
【００４１】
本明細書で説明されるように、UEは、より長いTTIに対するHARQフィードバックとsTTIに対するSRとのコリジョンを回避するように、SRおよびACK/NACK情報の送信のためのリソースを用いて構成され得る。たとえば、sPUCCHフォーマット4(または、sTTIの持続時間に応じて、sPUCCHフォーマット3)のための特定のリソースは、SRとACK/NACKの合成された送信のために構成され得る。ACK/NACK送信は、SRと関連付けられるsTTIとは異なる長さを有するより長いTTI上で送信されるダウンリンクメッセージに応答するものであり得る。他の例では、複数のリソースが、sPUCCHフォーマット4を使用したSRおよびACK/NACKの送信のために構成されることがあり、UEは、ACK/NACK情報のサイズ(たとえば、ビットの数)に対する最大のコーディングレートを超えないリソースの最小のセットに基づいて複数のリソースのうちの1つを選択することがある。そのような場合、リソースのそれぞれのセットに対するコーディングレートは、基地局によって(たとえば、RRCメッセージングを通じて)構成され得る。追加または代替として、UEは、UEに示されたsPUCCHフォーマット4(またはsPUCCHフォーマット3)の直近の事例を特定し得る。そのような場合、UEは、特定された直近のフォーマットの指示に基づくリソースを使用して、SRおよびACK/NACK情報を送信し得る。いずれにしても、説明される技法は、UEが、SRおよびHARQフィードバックの合成された送信のために使用すべきリソースを首尾一貫して決定し、そのような送信のためのリソースの選択における曖昧さをなくすことを可能にし得る。
【００４２】
最初にワイヤレス通信システムに照らして本開示の態様が説明される。ワイヤレス通信システムは、sPUCCHの異なるリソース構成をサポートし得る。SRおよびUCIに対するコリジョンの回避をサポートするシステムにおける、HARQおよびSRのためのリソース決定についての追加の詳細が説明される。本開示の態様はさらに、SRおよびUCIのためのコリジョンの回避に関する装置図、システム図、およびフローチャートによってさらに示され、それらを参照して説明される。
【００４３】
図1は、本開示の態様による、SRおよびUCIのためのコリジョンの回避をサポートするワイヤレス通信システム100の例を示す。ワイヤレス通信システム100は、基地局105と、UE115と、コアネットワーク130とを含む。いくつかの例では、ワイヤレス通信システム100は、LTEネットワーク、LTE-Advanced (LTE-A)ネットワーク、LTE-A Proネットワーク、またはNew Radio (NR)ネットワークであり得る。いくつかの場合、ワイヤレス通信システム100は、拡張ブロードバンド通信、超高信頼性(たとえば、ミッションクリティカル)通信、低レイテンシ通信、または低コストおよび低複雑度のデバイスとの通信をサポートし得る。
【００４４】
基地局105は、1つまたは複数の基地局アンテナを介して、UE115とワイヤレスに通信し得る。本明細書で説明される基地局105は、基地トランシーバ局、無線基地局、アクセスポイント、無線トランシーバ、NodeB、eNodeB(eNB)、(そのいずれもgNBと呼ばれることがある)次世代Node Bもしくはgiga-nodeB、Home NodeB、Home eNodeB、または何らかの他の適切な用語を含むことがあり、あるいは、そのように当業者によって呼ばれることがある。ワイヤレス通信システム100は、異なるタイプの基地局105(たとえば、マクロセル基地局またはスモールセル基地局)を含み得る。本明細書で説明されるUE115は、マクロeNB、スモールセルeNB、gNB、中継基地局などを含む、様々なタイプの基地局105およびネットワーク機器と通信することが可能であり得る。
【００４５】
各基地局105は、様々なUE115との通信がサポートされる特定の地理的カバレッジエリア110と関連付けられ得る。各基地局105は、通信リンク125を介してそれぞれの地理的カバレッジエリア110のための通信カバレッジを提供することができ、基地局105とUE115との間の通信リンク125は、1つまたは複数のキャリアを利用することができる。ワイヤレス通信システム100において示される通信リンク125は、UE115から基地局105へのアップリンク送信、または基地局105からUE115へのダウンリンク送信を含み得る。ダウンリンク送信は順方向リンク送信と呼ばれることもあり、アップリンク送信は逆方向リンク送信と呼ばれることもある。
【００４６】
基地局105のための地理的カバレッジエリア110は、地理的カバレッジエリア110の一部分のみを構成するセクタに分割されることがあり、各セクタはセルと関連付けられることがある。たとえば、各基地局105は、マクロセル、スモールセル、ホットスポット、もしくは他のタイプのセル、またはそれらの様々な組合せのための通信カバレッジを提供し得る。いくつかの例では、基地局105は可動であり、したがって、移動している地理的カバレッジエリア110のための通信カバレッジを提供し得る。いくつかの例では、異なる技術と関連付けられる異なる地理的カバレッジエリア110は、重複することがあり、異なる技術と関連付けられる、重複する地理的カバレッジエリア110は、同じ基地局105によって、または異なる基地局105によってサポートされることがある。ワイヤレス通信システム100は、たとえば、異なるタイプの基地局105が様々な地理的カバレッジエリア110のためのカバレッジを提供する、異種LTE/LTE-A/LTE-A ProまたはNRネットワークを含み得る。
【００４７】
「セル」という用語は、(たとえば、キャリア上での)基地局105との通信のために使用される論理通信エンティティを指し、同じまたは異なるキャリアを介して動作する近隣セルを区別するための識別子(たとえば、物理セル識別子(PCID)、仮想セル識別子(VCID))と関連付けられ得る。いくつかの例では、キャリアは、複数のセルをサポートすることがあり、異なるセルは、異なるタイプのデバイスのためのアクセスを提供し得る異なるプロトコルタイプ(たとえば、マシンタイプ通信(MTC)、狭帯域Internet-of-Things (NB-IoT)、拡張モバイルブロードバンド(eMBB)、または他のもの)に従って構成され得る。場合によっては、「セル」という用語は、その上で論理エンティティが動作する地理的カバレッジエリア110(たとえば、セクタ)の一部分を指すことがある。
【００４８】
UE115は、ワイヤレス通信システム100全体にわたって分散していることがあり、各UE115は固定式または移動式であり得る。UE115はまた、モバイルデバイス、ワイヤレスデバイス、リモートデバイス、ハンドヘルドデバイス、もしくは加入者デバイス、または何らかの他の適切な用語で呼ばれることがあり、「デバイス」はユニット、局、端末、またはクライアントと呼ばれることもある。UE115はまた、携帯電話、携帯情報端末(PDA)、タブレットコンピュータ、ラップトップコンピュータ、またはパーソナルコンピュータなどの個人用電子デバイスであり得る。いくつかの例では、UE115は、ワイヤレスローカルループ(WLL)局、Internet of Things (IoT)デバイス、Internet of Everything (IoE)デバイス、またはMTCデバイスなどを指すこともあり、これらは、家電機器、車両、メータなどの様々な物品において実装され得る。
【００４９】
MTCデバイスまたはIoTデバイスなどの、いくつかのUE115は、低コストまたは低複雑度のデバイスであることがあり、機械間の自動化された通信(たとえば、マシンツーマシン(M2M)通信)を可能にし得る。M2M通信またはMTCは、人が介在することなく、デバイスが互いにまたは基地局105と通信することを可能にするデータ通信技術を指すことがある。いくつかの例では、M2M通信またはMTCは、情報を測定もしくはキャプチャするためにセンサもしくはメータを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのUE115は、情報を収集するか、または機械の自動化された挙動を可能にするように、設計され得る。MTCデバイスの用途の例は、スマートメータリング、在庫監視、水位監視、機器監視、ヘルスケア監視、野生生物監視、天候事象および地質学的事象の監視、艦隊の管理および追跡、リモートセキュリティ検知、物理的アクセス制御、ならびに取引ベースのビジネス課金を含む。
【００５０】
いくつかのUE115は、半二重通信などの、電力消費を低減する動作モード(たとえば、送信または受信を介した単方向通信をサポートするが、送信および受信を同時にはサポートしないモード)を利用するように構成され得る。いくつかの例では、半二重通信は、低減されたピークレートで実行され得る。UE115のための他の電力節約技法は、アクティブな通信に関与しないとき、または(たとえば、狭帯域通信に従って)限られた帯域幅にわたって動作しているとき、電力を節約する「ディープスリープ」モードに入ることを含む。いくつかの場合、UE115は、重要な機能(たとえば、ミッションクリティカル機能)をサポートするように設計されることがあり、ワイヤレス通信システム100はこれらの機能のために超高信頼性通信を提供するように構成されることがある。
【００５１】
いくつかの場合、UE115はまた、(たとえば、ピアツーピア(P2P)プロトコルまたはデバイスツーデバイス(D2D)プロトコルを使用して)他のUE115と直接通信することが可能であり得る。D2D通信を利用するUE115のグループのうちの1つまたは複数が、基地局105の地理的カバレッジエリア110内にあり得る。そのようなグループ中の他のUE115は、基地局105の地理的カバレッジエリア110の外にあるか、または別様に基地局105からの送信を受信できないことがある。いくつかの場合、D2D通信を介して通信するUE115のグループは、各UE115がグループの中のあらゆる他のUE115に送信する1対多(1:M)システムを利用し得る。いくつかの場合、基地局105は、D2D通信のためのリソースのスケジューリングを促進する。他の場合には、D2D通信は、基地局105が関与することなくUE115間で行われる。
【００５２】
基地局105は、コアネットワーク130および互いと通信し得る。たとえば、基地局105は、バックホールリンク132を通じて(たとえば、S1または別のインターフェースを介して)コアネットワーク130とインターフェースし得る。基地局105は、バックホールリンク134上で(たとえば、X2または他のインターフェースを介して)、直接的(たとえば、基地局105間で直接)または間接的に(たとえば、コアネットワーク130を介して)のいずれかで互いと通信し得る。
【００５３】
コアネットワーク130は、ユーザ認証、アクセス許可、追跡、インターネットプロトコル(IP)接続性、および他のアクセス機能、ルーティング機能、またはモビリティ機能を提供し得る。コアネットワーク130は、evolved packet core (EPC)であってよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含むことがある。MMEは、EPCと関連付けられる基地局105によってサービスされるUE115のためのモビリティ、認証、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を実現することができる。P-GWは、ネットワーク事業者のIPサービスに接続され得る。事業者のIPサービスは、インターネット、イントラネット、IPマルチメディアサブシステム(IMS)、またはパケット交換(PS)ストリーミングサービスに対するアクセスを含み得る。
【００５４】
基地局105などのネットワークデバイスのうちの少なくともいくつかは、アクセスネットワークエンティティなどの下位構成要素を含むことがあり、アクセスネットワークエンティティは、アクセスノードコントローラ(ANC)の例であり得る。各アクセスネットワークエンティティは、無線ヘッド、スマート無線ヘッド、または送受信ポイント(TRP)と呼ばれ得る、いくつかの他のアクセスネットワーク送信エンティティを通して、UE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されることがあり、または単一のネットワークデバイス(たとえば、基地局105)内に統合されることがある。
【００５５】
ワイヤレス通信システム100は、通常は300MHzから300GHzの範囲にある、1つまたは複数の周波数帯域を使用して動作し得る。一般に、300MHzから3GHzの領域は、超高周波(UHF)領域またはデシメートル帯域として知られているが、これは、波長がおよそ1デシメートルから1メートルに及ぶからである。UHF波は、建物および環境特性によって遮蔽されることがあり、または方向転換されることがある。しかしながら、これらの波は、マクロセルが屋内に位置するUE115にサービスを提供するのに十分に構造物を貫通し得る。UHF波の送信は、300MHz未満のスペクトルの高周波(HF)部分または超高周波(VHF)部分のより低い周波数およびより長い波を使用する送信と比較して、より小型のアンテナおよびより短い距離(たとえば、100km未満)と関連付けられ得る。
【００５６】
ワイヤレス通信システム100はまた、センチメートル帯域としても知られている、3GHzから30GHzまでの周波数帯域を使用する超高周波(SHF)領域の中で動作し得る。SHF領域は、他のユーザからの干渉を許容できるデバイスによって機会主義的に使用され得る、5GHzの産業科学医療(ISM)帯域などの帯域を含む。
【００５７】
ワイヤレス通信システム100は、ミリメートル帯域としても知られている、(たとえば、30GHzから300GHzの)スペクトルの極高周波(EHF)領域においても動作し得る。いくつかの例では、ワイヤレス通信システム100は、UE115と基地局105との間のミリメートル波(mmW)通信をサポートすることができ、それぞれのデバイスのEHFアンテナは、UHFアンテナよりも、さらに小さいことがあり、より間隔が密であることがある。いくつかの場合、これは、UE115内でのアンテナアレイの使用を容易にし得る。しかしながら、EHF送信の伝搬は、SHF送信またはUHF送信よりもさらに大きい大気減衰を受け、到達距離がより短いことがある。本明細書で開示される技法は、1つまたは複数の異なる周波数領域を使用する送信にわたって利用されることがあり、これらの周波数領域にわたる帯域の指定された使用は、国ごとにまたは規制団体ごとに異なり得る。
【００５８】
いくつかの場合、ワイヤレス通信システム100は、免許無線周波数スペクトル帯域と免許不要無線周波数スペクトル帯域の両方を利用し得る。たとえば、ワイヤレス通信システム100は、5 GHz ISM帯域などの免許不要帯域において、License Assisted Access (LAA)、LTE Unlicensed (LTE-U)無線アクセス技術、またはNR技術を利用し得る。免許不要無線周波数スペクトル帯域で動作するとき、基地局105およびUE115などのワイヤレスデバイスは、データを送信する前に周波数チャネルがクリアであることを保証するために、リッスンビフォアトーク(LBT)手順を利用し得る。いくつかの場合、免許不要帯域における動作は、免許帯域において動作するコンポーネントキャリア(CC)と連携したキャリアアグリゲーション(CA)構成に基づき得る(たとえば、LAA)。免許不要スペクトルにおける動作は、ダウンリンク送信、アップリンク送信、ピアツーピア送信、またはこれらの組合せを含み得る。免許不要スペクトルにおける複信は、周波数分割複信(FDD)、時分割複信(TDD)、またはその両方の組合せに基づき得る。
【００５９】
いくつかの例では、基地局105またはUE115は、複数のアンテナを装備することがあり、これらのアンテナは、送信ダイバーシティ、受信ダイバーシティ、多入力多出力(MIMO)通信、またはビームフォーミングなどの技法を利用するために使用され得る。たとえば、ワイヤレス通信システム100は、送信デバイス(たとえば、基地局105)と受信デバイス(たとえば、UE115)との間の送信方式を使用することができ、ここで、送信デバイスは、複数のアンテナを装備し、受信デバイスは、1つまたは複数のアンテナを装備する。MIMO通信は、異なる空間レイヤを介して複数の信号を送信または受信することによってスペクトル効率を高めるためにマルチパス信号伝搬を利用することがあり、これは空間多重化と呼ばれることがある。複数の信号は、たとえば、異なるアンテナまたはアンテナの異なる組合せを介して送信デバイスによって送信され得る。同様に、複数の信号が、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームと関連付けられるビットを搬送し得る。異なる空間レイヤは、チャネル測定および報告のために使用される異なるアンテナポートと関連付けられ得る。MIMO技法は、複数の空間レイヤが同じ受信デバイスに送信されるシングルユーザMIMO(SU-MIMO)、および複数の空間レイヤが複数のデバイスに送信されるマルチユーザMIMO(MU-MIMO)を含む。
【００６０】
空間フィルタリング、指向性送信、または指向性受信とも呼ばれ得るビームフォーミングは、送信デバイスと受信デバイスとの間の空間経路に沿ってアンテナビーム(たとえば、送信ビームまたは受信ビーム)をシェーピングまたはステアリングするために送信デバイスまたは受信デバイス(たとえば、基地局105またはUE115)において使用され得る、信号処理技法である。ビームフォーミングは、アンテナアレイに関して特定の方向に伝播する信号が強め合う干渉を受ける一方で、他の信号が弱め合う干渉を受けるように、アンテナアレイのアンテナ要素を介して通信される信号を合成することによって達成され得る。アンテナ要素を介して通信される信号の調整は、デバイスと関連付けられるアンテナ要素の各々を介して搬送される信号に何らかの振幅オフセットおよび位相オフセットを送信デバイスまたは受信デバイスが適用することを含み得る。アンテナ要素の各々と関連付けられる調整は、(たとえば、送信デバイスもしくは受信デバイスのアンテナアレイに対する、または何らかの他の方向に対する)特定の方向と関連付けられるビームフォーミング重みセットによって定義され得る。
【００６１】
一例では、基地局105は、UE115との指向性通信のためのビームフォーミング動作を行うために、複数のアンテナまたはアンテナアレイを使用し得る。たとえば、いくつかの信号(たとえば、同期信号、基準信号、ビーム選択信号、または他の制御信号)は、異なる方向に基地局105によって複数回送信されることがあり、それらは、送信の異なる方向と関連付けられた異なるビームフォーミング重みセットに従って送信されている信号を含むことがある。異なるビーム方向における送信は、基地局105による後続の送信および/または受信のためのビーム方向を(たとえば、基地局105、またはUE115などの受信デバイスによって)特定するために使用され得る。特定の受信デバイスと関連付けられるデータ信号などの一部の信号は、単一のビーム方向(たとえば、UE115などの受信デバイスと関連付けられる方向)に基地局105によって送信され得る。いくつかの例では、単一のビーム方向に沿った送信と関連付けられるビーム方向は、異なるビーム方向に送信された信号に少なくとも一部基づいて決定され得る。たとえば、UE115は、基地局105によって異なる方向に送信された信号のうちの1つまたは複数を受信することができ、UE115は、それが最高の信号品質で、または別様に許容可能な信号品質で受信した信号の指示を、基地局105に報告することができる。これらの技法は基地局105によって1つまたは複数の方向に送信される信号に関して説明されるが、UE115は、異なる方向に複数回信号を送信するために(たとえば、UE115による後続の送信または受信のためのビーム方向を特定するために)、または単一の方向に信号を送信するために(たとえば、データを受信デバイスに送信するために)同様の技法を利用し得る。
【００６２】
受信デバイス(たとえば、mmW受信デバイスの例であり得るUE115)は、同期信号、基準信号、ビーム選択信号、または他の制御信号などの、様々な信号を基地局105から受信するとき、複数の受信ビームを試みることができる。たとえば、受信デバイスは、異なるアンテナサブアレイを介して受信することによって、異なるアンテナサブアレイに従って受信された信号を処理することによって、アンテナアレイのアンテナ要素のセットにおいて受信された信号に適用された異なる受信ビームフォーミング重みセットに従って受信することによって、またはアンテナアレイのアンテナ要素のセットにおいて受信された信号に適用された異なる受信ビームフォーミング重みセットに従って受信された信号を処理することによって、複数の受信方向を試みることができ、それらのいずれも、異なる受信ビームまたは受信方向に従った「聴取」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向に従った聴取に基づいて決定されたビーム方向(たとえば、複数のビーム方向に従った聴取に基づいて、最高の信号強度、最高の信号対雑音比、または別様に、許容可能な信号品質を有すると決定されたビーム方向)に揃えられ得る。
【００６３】
いくつかの場合、基地局105またはUE115のアンテナは、MIMO動作をサポートし得るか、またはビームフォーミングを送信もしくは受信し得る、1つまたは複数のアンテナアレイ内に位置し得る。たとえば、1つまたは複数の基地局アンテナまたはアンテナアレイは、アンテナタワーなどのアンテナアセンブリにおいて併置され得る。いくつかの場合、基地局105と関連付けられるアンテナまたはアンテナアレイは、異なる地理的位置に配置され得る。基地局105は、基地局105がUE115との通信のビームフォーミングをサポートするために使用し得るアンテナポートのいくつかの行および列を有するアンテナアレイを有し得る。同様に、UE115は、様々なMIMO動作またはビームフォーミング動作をサポートすることができる1つまたは複数のアンテナアレイを有し得る。
【００６４】
いくつかの場合、ワイヤレス通信システム100は、階層化プロトコルスタックに従って動作するパケットベースのネットワークであり得る。ユーザプレーンでは、ベアラまたはパケットデータコンバージェンスプロトコル(PDCP)レイヤにおける通信は、IPベースであり得る。無線リンク制御(RLC)レイヤは、いくつかの場合、論理チャネルを介して通信するために、パケットのセグメント化および再アセンブリを実行し得る。メディアアクセス制御(MAC)レイヤは、優先度処理およびトランスポートチャネルへの論理チャネルの多重化を実行し得る。MACレイヤはまた、MACレイヤにおいて再送信を行ってリンク効率を改善するために、HARQを使用し得る。制御プレーンでは、RRCプロトコルレイヤは、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００６５】
物理ダウンリンク制御チャネル(PDCCH)は、論理的に連続する9個のリソース要素グループ(REG)からなり得る、制御チャネル要素(CCE)の中でDCIを搬送し、ここで、各REGは4個のリソース要素(RE)を含む。DCIは、ダウンリンクスケジューリング割当て、アップリンクリソースグラント、送信方式、アップリンク電力制御、HARQ情報、変調およびコーディング方式(MCS)に関する情報、ならびに他の情報を含む。DCIメッセージのサイズおよびフォーマットは、DCIによって搬送される情報のタイプおよび量に応じて異なり得る。たとえば、空間多重化がサポートされる場合、DCIメッセージのサイズは、連続する周波数割振りと比較して大きい。同様に、MIMOを利用するシステムでは、DCIは追加のシグナリング情報を含まなければならない。DCIのサイズおよびフォーマットは、情報の量、ならびに帯域幅、アンテナポートの数、および複信モードなどの要因に依存する。
【００６６】
いくつかの場合、UE115および基地局105は、データが受信に成功する可能性を高めるためにデータの再送信をサポートし得る。HARQフィードバックは、データが通信リンク125上で正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線条件(たとえば、信号対雑音条件)においてMACレイヤにおけるスループットを改善し得る。いくつかの場合、ワイヤレスデバイスは、同一スロットHARQフィードバックをサポートすることがあり、同一スロットHARQフィードバックにおいて、デバイスは、スロットの中の前のシンボルにおいて受信されたデータのための特定のスロットにおいて、HARQフィードバック(ACK/NACK情報またはACK/NACKデータとも呼ばれ得る)を提供し得る。他の場合には、デバイスは、後続のスロットにおいて、または何らかの他の時間間隔に従ってHARQフィードバックを提供し得る。HARQフィードバックは1つまたは複数のビットを含み得る。
【００６７】
PUCCHまたはsPUCCHは、UCIを搬送することがあり、コードといくつかの連続するリソースブロックとによって定義される制御チャネルにマッピングされることがある。アップリンク制御シグナリングは、セルのタイミング同期の存在に依存し得る。いくつかの場合、SRおよびチャネル品質情報(CQI)報告のためのPUCCHリソースは、RRCシグナリングを通じて割り当てられ得る(かつ取り消され得る)。いくつかの場合、SRのためのリソースは、ランダムアクセスチャネル(RACH)手順を通じて同期を獲得した後に割り当てられ得る。他の場合には、SRは、RACHを通じてUE115に割り当てられないことがある(すなわち、同期したUE115は、専用SRチャネルを有することもあり、または有しないこともある)。いくつかの場合、PUCCH/sPUCCHは、搬送される情報のタイプに基づいて様々なフォーマットへと分類され得る。たとえば、異なるフォーマットが、異なるサイズのHARQフィードバック(たとえば、1ビットのHARQフィードバックvs 2ビットのHARフィードバック、vs最大で20ビットのHARQフィードバックなど)のために使用され得る。いくつかの場合、基地局105は、UE115によって提供されるべきHARQフィードバックのサイズを認識していることがあり、これは、基地局105によって送信される、送信されたダウンリンクデータの量に基づくことがある。したがって、基地局105は、HARQフィードバックの送信のために使用されるべきPUCCHまたはsPUCCHフォーマットの知識を有し得る。
【００６８】
LTEまたはNRにおける時間間隔は、たとえば、Ts=1/30,720,000秒というサンプリング周期を基準とし得る、基本時間単位の倍数で表され得る。通信リソースの時間間隔は、10msの持続時間を各々有する無線フレームに従って編成されることがあり、ここでフレーム期間はTf=307,200Tsと表されることがある。無線フレームは、0から1023に及ぶシステムフレーム番号(SFN)によって識別され得る。各フレームは、0から9までの番号を付けられた10個のサブフレームを含むことができ、各サブフレームは、1msの持続時間を有し得る。サブフレームは、0.5msの持続時間を各々が有する2つのスロットにさらに分割されることがあり、各スロットは、(たとえば、各シンボル期間にプリペンドされたサイクリックプレフィックスの長さに依存して)6または7つの変調シンボル期間を含み得る。巡回プレフィックスを除いて、各シンボル期間は2048個のサンプリング期間を含み得る。いくつかの場合、サブフレームは、ワイヤレス通信システム100の最小のスケジューリング単位であることがあり、TTIと呼ばれることがある。他の場合には、ワイヤレス通信システム100の最も小さいスケジューリング単位は、サブフレームよりも短いことがあり、または(たとえば、sTTIを使用してsTTIのバースト中で、もしくは選択されたCCの中で)動的に選択されることがある。
【００６９】
いくつかのワイヤレス通信システムでは、スロットは、1個または複数のシンボルを含む複数のミニスロットにさらに分割され得る。いくつかの事例では、ミニスロットのシンボルまたはミニスロットは、スケジューリングの最小単位であり得る。各シンボルは、たとえば、動作のサブキャリア間隔または周波数帯域に応じて、持続時間が変わることがある。さらに、一部のワイヤレス通信システムは、UE115と基地局105との間の通信のために複数のスロットまたはミニスロットが一緒に集約されて使用される、スロットアグリゲーションを実装し得る。
【００７０】
「キャリア」という用語は、通信リンク125を介した通信をサポートするための定義された物理レイヤ構造を有する無線周波数スペクトルリソースのセットを指す。たとえば、通信リンク125のキャリアは、所与の無線アクセス技術に対する物理レイヤチャネルに従って動作する無線周波数スペクトル帯域の一部分を含み得る。各物理レイヤチャネルは、ユーザデータ、制御情報、または他のシグナリングを搬送することができる。キャリアは、あらかじめ定義された周波数チャネル(たとえば、evolved universal terrestrial radio access (E-UTRA)絶対無線周波数チャネル番号(EARFCN))と関連付けられることがあり、UE115による発見のためにチャネルラスタに従って配置されることがある。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリアを介して送信される信号波形は、(たとえば、直交周波数分割多重化(OFDM)またはDFT-s-OFDMなどのマルチキャリア変調(MCM)技法を使用して)複数のサブキャリアから構成され得る。
【００７１】
キャリアの組織構造は、異なる無線アクセス技術(たとえば、LTE、LTE-A、LTE-A Pro、NRなど)に対して異なり得る。たとえば、キャリアを介した通信は、TTIまたはスロットに従って編成されることがあり、それらの各々が、ユーザデータの復号をサポートするために、ユーザデータならびに制御情報またはシグナリングを含むことがある。キャリアはまた、専用の取得シグナリング(たとえば、同期信号またはシステム情報など)と、キャリアのための動作を協調させる制御シグナリングとを含み得る。いくつかの例では(たとえば、キャリアアグリゲーション構成では)、キャリアは、他のキャリアに対する動作を協調させる取得シグナリングまたは制御シグナリングも有し得る。
【００７２】
物理チャネルは、様々な技法に従ってキャリア上で多重化され得る。物理制御チャネルおよび物理データチャネルは、ダウンリンクチャネル上で、たとえば、時分割多重化(TDM)技法、周波数分割多重化(FDM)技法、またはハイブリッドTDM-FDM技法を使用して多重化され得る。いくつかの例では、物理制御チャネルにおいて送信される制御情報は、カスケード方式で異なる制御領域の間で(たとえば、共通制御領域または共通探索空間と1つまたは複数のUE固有制御領域またはUE固有探索空間との間で)分散され得る。
【００７３】
キャリアは、無線周波数スペクトルの特定の帯域幅と関連付けられてよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリア用のいくつかの所定の帯域幅(たとえば、1.4、3、5、10、15、20、40、または80MHz)のうちの1つであってよい。いくつかの例では、各々のサービスされるUE115は、キャリア帯域幅のいくつかの部分またはすべてにわたって動作するように構成され得る。他の例では、一部のUE115は、キャリア内のあらかじめ定められた部分または範囲(たとえば、サブキャリアまたはリソースブロック(RB)のセット)と関連付けられる狭帯域プロトコルタイプを使用した動作のために構成され得る(たとえば、狭帯域プロトコルタイプの「帯域内」展開)。
【００７４】
MCM技法を利用するシステムでは、リソース要素は1つのシンボル期間(たとえば、1つの変調シンボルの持続時間)および1つのサブキャリアからなることがあり、シンボル期間およびサブキャリア間隔は反比例する。各リソース要素によって搬送されるビットの数は、変調方式(たとえば、変調方式の次数)に依存し得る。したがって、UE115が受信するリソース要素が多いほど、および変調方式の次数が高いほど、UE115のデータレートは高くなる。MIMOシステムでは、ワイヤレス通信リソースとは、無線周波数スペクトルリソース、時間リソース、および空間リソース(たとえば、空間レイヤ)の組合せを指すことがあり、複数の空間レイヤの使用が、UE115との通信のためのデータレートをさらに高め得る。
【００７５】
ワイヤレス通信システム100のデバイス(たとえば、基地局105またはUE115)は、特定のキャリア帯域幅を介した通信をサポートするハードウェア構成を有し得るか、またはキャリア帯域幅のセットのうちの1つを介した通信をサポートするように構成可能であり得る。いくつかの例では、ワイヤレス通信システム100は、複数の異なるキャリア帯域幅と関連付けられたキャリアによる同時通信をサポートすることができる基地局105および/またはUE115を含み得る。
【００７６】
ワイヤレス通信システム100は、複数のセルまたはキャリア上でのUE115との通信、すなわち、CAまたはマルチキャリア動作と呼ばれることがある機能をサポートし得る。UE115は、キャリアアグリゲーション構成に従って、複数のダウンリンクCCおよび1つまたは複数のアップリンクCCを用いて構成され得る。キャリアアグリゲーションは、FDDとTDD CCの両方とともに使用され得る。
【００７７】
いくつかの場合、ワイヤレス通信システム100は、拡張コンポーネントキャリア(eCC)を利用し得る。eCCは、より広いキャリアもしくは周波数チャネル帯域幅、より短いシンボル持続時間、より短いTTI持続時間、または修正された制御チャネル構成を含む、1つまたは複数の特徴によって特徴付けられ得る。いくつかの場合、eCCは、(たとえば、複数のサービングセルが準最適または理想的でないバックホールリンクを有するとき)キャリアアグリゲーション構成またはデュアル接続性構成と関連付けられ得る。eCCはまた、(たとえば、2つ以上の事業者が、スペクトルを使用することを許可される場合)免許不要スペクトルまたは共有スペクトルにおいて使用するために構成され得る。広いキャリア帯域幅によって特徴付けられるeCCは、全キャリア帯域幅を監視することが可能でないか、またはさもなければ(たとえば、電力を節約するために)限られたキャリア帯域幅を使用するように構成されるUE115によって利用され得る、1つまたは複数のセグメントを含み得る。
【００７８】
いくつかの場合、eCCは、他のCCのシンボル持続時間と比較して縮小されたシンボル持続時間の使用を含み得る、他のCCとは異なるシンボル持続時間を利用し得る。より短いシンボル持続時間は、隣接するサブキャリア間の間隔の増大と関連付けられ得る。eCCを利用する、UE115または基地局105などのデバイスが、低減されたシンボル持続時間(たとえば、16.67マイクロ秒(μs))で、広帯域信号(たとえば、20、40、60、80MHzなどの周波数チャネルまたはキャリア帯域幅に従った)を送信し得る。eCCの中のTTIは、1つまたは複数のシンボル期間からなり得る。いくつかの場合、TTI持続時間(すなわち、TTI中のシンボル期間の数)は可変であり得る。
【００７９】
NRシステムなどのワイヤレス通信システムは、とりわけ、免許スペクトル、共有スペクトル、および免許不要スペクトル帯域の任意の組合せを利用し得る。eCCシンボル持続時間およびサブキャリア間隔の柔軟性によって、複数のスペクトルにわたるeCCの使用が可能になり得る。いくつかの例では、特にリソースの動的な垂直方向(たとえば、周波数にわたる)および水平方向(たとえば、時間にわたる)の共有を通じて、NR共有スペクトルは、スペクトル利用率およびスペクトル効率を高め得る。
【００８０】
コリジョンは、PUSCH/PUCCHとsPUCCHとの間で発生し得る。たとえば、1ms TTIの間の送信をスケジューリングされているPUSCH/PUCCHは、sTTIを使用して送信されるべきSRと衝突し得る。同時送信が可能ではない場合(たとえば、同じセルで送信が競合すること、または異なるセルでの同時送信を禁じるUE115の能力などにより)、PUSCH/PUCCH送信は停止されることがあり、PUSCH/PUCCHからのHARQ ACK/NACKはsPUCCH上でSRとともに送信されることがある。HARQ ACK/NACK情報が2ビットより大きく、sPUCCH上で送信されるべきである場合、HARQ ACK/NACK情報は、特定のフォーマット(たとえば、フォーマット4)でsPUCCHに含められ得る。フォーマット4は、HARQ ACK/NACK情報がその上でPUCCHにおいて送信されるべきリソースを選択するためのいくつかの異なる選択肢を含む。いくつかの例では、HARQ ACK/NACK情報がフォーマット4のsPUCCHに含まれるべきであるとき、UE115は、HARQ ACK/NACK情報がどのフォーマット4リソース上で送信されるべきかの指示を受信し得る(たとえば、ARIはグラントにおいて受信され得る)。しかしながら、sPUCCHでのHARQ ACK/NACKの送信が、sPUCCHと、HARQ ACK/NACK情報を搬送することがすでにスケジューリングされているPUSCH/PUCCHとの間のコリジョンによるものである場合、ARIは受信されていない可能性がある。そのような場合、UE115は、SRおよびACK/NACK情報を送信するためにどのsPUCCHリソースが使用されるべきかを決定し得る。ワイヤレス通信システム100は、たとえば、ACK/NACK情報が2ビットより大きいときにダウンリンクグラントがない場合、sPUCCHでのSRおよびACK/NACK情報の送信のためにUE115が使用すべき、リソースの1つまたは複数のセットの構成をサポートし得る。ある例として、UE115は、SRとHARQフィードバックとの間にコリジョンが存在することを特定することができ、SRおよびHARQフィードバックの合成された送信のための構成されたリソースをsPUCCH内で特定することができる。他の場合に
は、複数のsPUCCHリソースが構成されることがあり、UE115は、SRおよびHARQフィードバックを送信するときに構成された最大コーディングレートを超えないように、リソースのうちの1つを選択し得る。
【００８１】
図2は、本開示の態様による、SRおよびUCIのためのコリジョンの回避をサポートするワイヤレス通信システム200の例を示す。ワイヤレス通信システム200は、図1を参照して説明された対応するデバイスの例であり得る、基地局105-aおよびUE115-aを含み得る。基地局105-aおよびUE115-aは、PUCCH/PUSCH210およびsPUCCH215を含む通信リンク205を介して通信し得る。PUCCH/PUSCH210およびsPUCCH215は、同じまたは異なるキャリア上にあることがあり、TDDまたはFDDであることがある。
【００８２】
基地局105-aは、ダウンリンクチャネル上でsTTIを使用して送信することができ、ダウンリンクチャネルは、低レイテンシ通信(たとえば、短縮物理ダウンリンク制御チャネル(sPDCCH)または短縮物理ダウンリンク共有チャネル(sPDSCH))のために指定または構成されることがあり、UE115-aは、アップリンクチャネル上でsTTIを使用して送信することができ、アップリンクチャネルは、低レイテンシ通信(たとえば、sPUCCH215またはsPUSCHを使用する)のために指定または構成されることがある。
【００８３】
UE115-aまたは基地局105-aは、低レイテンシ通信と非低レイテンシ通信の両方を使用して動作するように構成され得る。低レイテンシ通信および非低レイテンシ通信は、異なる長さのTTIおよびダウンリンクHARQタイミングを使用し得る。UE115-aまたは基地局105-aは、別のTTIより持続時間が短いTTIを使用して送信し得る。相対的に短いTTIは、低レイテンシTTIまたはsTTIと呼ばれ得る。非低レイテンシTTIは、sTTIと比較してより長い持続時間を有し得る。上で言及されたように、非低レイテンシTTIはレガシーTTIとも呼ばれ得る。たとえば、LTEなどの、一部のより前のバージョンのワイヤレス通信規格が、そのようなレガシーTTIを利用し得る。本明細書で説明されるように、非低レイテンシTTIまたはレガシーTTIは、PUCCH/PUSCH210上で使用され得る。PUCCH/PUSCH210は、長いチャネルとも呼ばれ得る。低レイテンシTTIまたはsTTIは、sPUCCH215上で使用され得る。PUCCH/PUSCH210とsPUCCH215の両方が、基地局105-aへ送信されるべきHARQ ACK/NACK220およびSR225を含み得る。
【００８４】
いくつかの場合、UE115-aは、(たとえば、同じまたは異なるキャリア上での)スケジューリングされたPUCCH/PUSCH210の送信とsPUCCH215の送信との間のコリジョンに遭遇し得る。コリジョンは、同じサブフレームにおいてPUCCH/PUSCH210とsPUCCH215との間で発生し得る。すなわち、sPUCCH215は、PUCCH/PUSCH210のスケジューリングされた送信と重複するsTTIの間に送信されることがある。UE115-aによる同時送信が可能ではない場合、PUCCH/PUSCH210は停止されることがあり(すなわち、PUCCH/PUSCH210の1つまたは複数のビットが送信から省略されることがある)、PUCCH/PUSCH210からのUCI(たとえば、HARQ ACK/NACK220-a)がsPUCCH215上で送信されることがある。したがって、UE115-aは、SR225-aおよびHARQ ACK/NACK220-aを送信するためにどのsPUCCH215リソースが使用されるべきかを決め得る。論理チャネルのためのSR構成、1ms HARQ ACK/NACKビットの数、およびSRのトリガの時系列が、その決定において考慮されることがあり、SRおよびHARQ ACK/NACKを送信するために使用されるリソースに影響を及ぼすことがある。
【００８５】
いくつかの場合、1ビットのHARQ ACK/NACK220およびSR225は、レガシー物理ダウンリンク共有チャネル(PDSCH)の復号が成功するかどうかに基づいて、2つのsPUCCH215リソース上でUE115-aのために構成され得る。一方のリソースはSR225およびACKのために使用されることがあり、第2のリソースはSR225およびACKのために使用されることがある。たとえばダウンリンク送信がUE115-aに送信されていないので、HARQ ACK/NACK220が存在せず、SR225が存在する場合、SR225およびNACKに割り振られるリソースが使用され得る。受信側基地局105-aは、何らかのHARQ ACK/NACK220が予想されるかどうかを認識しており、SR225だけが存在すると決定し得る。HARQ ACK/NACK220が存在しておりSR225が存在しない場合、HARQ ACK/NACK220は、HARQにより示される特定のリソース上で送信され得る。基地局105-aは、sTTI SRリソースが構成されるとき、レガシーHARQ ACK/NACKに対して2回の仮説の確認を実行し得る。基地局105-aは、(たとえば、基地局105-aはSR225が送信されていることを知らないことがあるので)レガシーHARQ ACK/NACK220-aのためにPUCCH/PUSCH210とsPUCCH215の両方を確認し得る。
【００８６】
いくつかの場合、2ビットのHARQ ACK/NACK220およびSR225は、レガシーの符号語がもしあればその復号が成功するかどうかに基づいて、4つのsPUCCH215リソース上でUE115-aのために構成され得る。4つのリソースは、SRおよびACK-ACK、SRおよびNACK-NACK、SRおよびACK-NACK、ならびにSRおよびNACK-ACKの各々を搬送するためのリソースがあるように構成され得る。本明細書で説明される1ビットのHARQ ACK/NACKおよびSRの場合と同様に、たとえばダウンリンク送信がUE115-aに送信されていないので、HARQ ACK/NACK220が存在せず、SR225が存在する場合、SRおよびNACK-NACKに割り振られるリソースが使用され得る。HARQ ACK/NACK220が存在しておりSR225が存在しない場合、HARQ ACK/NACKは、HARQにより示される特定のリソース上で送信され得る。基地局105-aは、sTTI SRリソースが構成されるとき、レガシーHARQ ACK/NACK220-aに対して2回の仮説の確認を実行し得る。基地局105-aは、(たとえば、基地局105-aはSR225が送信されていることを知らないことがあるので)レガシーHARQ ACK/NACK220-aのためにPUCCH/PUSCH210とsPUCCHの両方を確認し得る。
【００８７】
SR225は、論理チャネルに基づいてRRCによって構成され得る。たとえば、UE115-aにおけるSR構成は、特定の論理チャネル(たとえば、sPUCCHおよびPUCCH)に対して制約されることがある。SRをsPUCCH上で送信できないことを示すために、「sPUCCHを尊重せよ」などの指示が使用されることがあり、「PUCCHを尊重せよ」などの指示は、SRをPUCCH上で送信できないことを示す。制約されるSR構成がない場合、UE115-aは、sPUCCHまたはPUCCHの中のいずれかのSRリソース上でSR225を送信することが許容され得る。
【００８８】
MACエンティティが、PUCCHまたはsPUCCHのうちの1つの上で構成されるSR225のためのリソースを有する場合、それらのSRリソースはすべての論理チャネルに対して有効であり得る。MACエンティティがPUCCHとsPUCCHの両方で構成されるSR225のためのリソースを有する場合、2つの場合が存在し得る。第1の場合は、論理チャネルの制約が構成されない場合に、または論理チャネルの制約がPUCCH上のSR225を許容する場合に、論理チャネルのいずれに対しても、PUCCHリソースが有効であるというものであり得る。第2の場合は、論理チャネルの制約が構成されない場合に、または論理チャネルの制約がsPUCCH上のSR225を許容する場合に、論理チャネルのいずれに対しても、sPUCCHリソースが有効であるというものであり得る。要するに、一部の論理チャネルのためのSR225は、PUCCHまたはsPUCCHのうちの1つを使用して送信されることがあるが、一部の他の論理チャネルのためのSR225は、PUCCHとsPUCCHの両方で送信されることがあり、UE115-aが、どのチャネルにSR225がマッピングされるべきかを決めることができる。
【００８９】
HARQ ACK/NACK220-bの2つより多くのビットがサブスロットTTI上で送信され得るとき、sPUCCH215は特定のフォーマット(たとえば、フォーマット4)を使用し得る。フォーマットは、HARQ ACK/NACK220-bの2つ以下のビットがサブスロットTTI送信のために存在するときに使用されるフォーマットとは異なり得る。いくつかの場合、UE115-aは、ダウンリンクsTTIグラントを受信しないことがあり、ARIが利用可能ではないことがあるので構成されたsPUCCH215フォーマットリソースのうちのどの4つのリソースが使用されるべきかを知らないことがある。
【００９０】
しかしながら、本開示の様々な態様によれば、レガシーHARQ ACK/NACK220-aおよびSR225-aは、たとえば最後に受信されたsDCIにおいてUE115-aに以前に示されたような、sPUCCH215の直近の4つのリソース上で送信され得る。以前の指示は、現在のSR225および送信されるべきHARQ ACK/NACK220に関連しないことがある。第2の例では、sPUCCH215フォーマットリソースは、ダウンリンクグラントが送信されないシナリオに対して構成されることがあり、レガシーHARQ ACK/NACK220の2つより多くのビットが、コリジョンを回避するためにsPUCCH215によって搬送されることがある。リソースのこの構成は、UE115-aが、sPUCCH215を使用したHARQ ACK/NACK220-bおよびSR225-bの送信のためのリソースを効率的に決定することを可能にし得る。
【００９１】
sPUCCH215の1つより多くのフォーマットが、SR225-bおよび2ビットより多くのHARQ ACK/NACK220-bを搬送するために使用され得る。たとえば、スロットsPUCCHフォーマット3およびフォーマット4において、4つのリソースのうちの1つが、DCIにおいて2ビットのインジケータを介してUE115-aに示され得る。スロットsPUCCHは、TTIがsPUCCH215のスロット全体にわたるときを指し得る。フォーマット3と4の両方がUE115-aのために構成される場合、フォーマット3は3〜11個のビットのために使用されることがあり、フォーマット4は12個以上のビットのために使用されることがある。フォーマット3がUE115-aのために構成される場合、3〜11個のビットが送信され得る。フォーマット4がUE115-aのために構成される場合、3つより多くのビットが送信され得る。
【００９２】
SR225が存在するが、ダウンリンクグラントが受信されていない場合、UE115-aに対して様々な選択肢が存在し得る。第1の選択肢では、レガシーHARQ ACK/NACK220およびSR225が、たとえばDCIにおいてUE115-aに示される直近のsPUCCH215フォーマット(たとえば、フォーマット3または4)上で送信され得る。フォーマットの決定は、HARQビットの数およびUE115-aにおける構成されたsPUCCH215フォーマットに依存し得る。第2の選択肢では、sPUCCH215フォーマット(たとえば、フォーマット3または4)リソースが、ダウンリンクグラントが送信されないシナリオに対して構成されることがあり、レガシーHARQ ACK/NACKのうちの2つより多くのビットが、コリジョンを回避するためにsPUCCH215によって搬送されることがある。いくつかの場合、sPUCCH215のためのリソースの構成は、RRCメッセージングを介して、またはDCIを介して、または両方の組合せで、UE115-aに示され得る。他の場合には、sPUCCHリソースは、あらかじめ構成され、またはあらかじめ決定されていることがある。
【００９３】
sPUCCH215フォーマット(たとえば、フォーマット4)のための複数のリソースは、サブスロットsPUCCHとスロットsPUCCHの両方のために、より高次のレイヤによって構成され得る。たとえば、各リソースは、所与の数のリソースブロック(たとえば、1つから8つのリソースブロック)にマッピングされ得る。最大コーディングレートが定義される(たとえば、RRCメッセージングを介して構成される)ことがあり、ペイロードサイズ(たとえば、HARQ ACK/NACK220-bビットの数)およびCRCビットに応じて、UE115-aは構成されたリソースのうちの1つを選び得る。PUCCH/PUSCH210とsPUCCH215のSR225-bとの間でコリジョンが発生すると、ペイロードサイズは1つまたは複数のSRビットも含み得る。たとえば、所与のペイロードサイズに対して、ある数のリソースブロックが使用され(たとえば、最小の量のリソースブロック)、コーディングレートが最大値を下回ったままである(たとえば、コーディングレート閾値を満たす)場合、UE115-aは、対応するsPUCCH215リソースを選択し得る。コーディングレートが最大値より大きい(たとえば、閾値を満たさない)場合、より多数のリソースブロックが使用されることがあり、このより多数のリソースブロックは、(たとえば、より少数のリソースブロックと比較して)相対的に高いコーディングレートと関連付けられ得る。UE115-aは、最大コーディングレートより低いままであることが可能な、最小の数のリソースブロックを選択し得る。基地局105-aは、HARQ ACK/NACKビットの数、最大コーディングレート、構成されたリソースを知っていることがあるので、基地局105-aは、SR225-bの送信の結果としてPUCCH/PUSCH210が省略される場合、どのsPUCCH215リソースがUE115-aによって使用され得るかを知っていることがある。いくつかの場合、基地局105-aは、HARQ ACK/NACK220が存在するかどうかを決定するために、2回の仮説の確認を実行しなければならないことがある。
【００９４】
いくつかの例では、コリジョンが発生しない可能性があるときでも、基地局105-aは、UCIの送信のために複数のリソースを構成し得る。たとえば、基地局105-aは、どのsPUCCH215フォーマット4リソースがUE115-aによって使用されるべきかをARIを介して示すことができ、リソースブロックの数を制御することができる。そのような場合、RRCによって構成されるsPUCCHフォーマット4リソースの各々が、異なる数のRBにマッピングされ得る。
【００９５】
図3は、本開示の態様による、SRおよびUCIのためのコリジョンの回避をサポートする時系列300の例を示す。いくつかの例では、時系列300は、ワイヤレス通信システム100および200の態様を実装し得る。矢印305は時系列300の時間軸を示す。PUCCH/PUSCH310送信および/またはsPUCCH送信315は、時系列300において発生し得る。PUCCH/PUSCH310送信および/またはsPUCCH315送信は、SRおよびHARQを含み得る。
【００９６】
示されるように、PUCCH/PUSCH310送信およびsPUCCH315送信は、時間的に重複し、衝突し得る。コリジョンを避けるために、PUCCH/PUSCH310とsPUCCH315との間でのUCIのためのリソース割振りの様々な例が、以下で説明される。しかしながら、コリジョンを回避できない場合があることがあり、UE115は、コリジョンをさらに軽減するために、本明細書で説明される技法を使用して、基地局105へのSRおよびACK/NACK情報の送信のためのリソースを決定することができる。
【００９７】
論理チャネルのためのSRが時間320におけるPUCCH/PUSCH310の送信の開始の前にトリガされる場合、考慮すべきいくつかの場合があり得る。第1の場合には、論理チャネルのためのSRは、PUCCHおよびsPUCCH上で送信され得る。SRがPUCCH上で送信される場合、UE115がSRをsPUCCH上で送信すると決めない限り、(たとえば、PUCCHとsPUCCHとの間に)コリジョンはないことがある。第2の場合には、SRはPUCCH上で送信されることがあり、コリジョンはないことがある。第3の場合には、SRはsPUCCH315上で送信されることがあり、いくつかの代替の形態が生じることがある。第1の代替形態では、sPUCCH315が進行中のPUCCH/PUSCH310と衝突し得る場合、SRは、送信されなくてよく、代わりに、次のSRの機会まで延期されてよい。第2の代替形態では、コリジョンを回避するために、PUCCH/PUSCH310は、時間330において、またはsPUCCH315上のSR機会の開始の前に、省略または停止され得る。この例では、PUCCH/PUSCH310上のSRおよびHARQ ACK/NACKは、sPUCCH315のsTTI上で送信され得る。UE115は、この代替形態において使用すべきsPUCCH315リソースを決定し得る。第3の代替形態では、HARQ ACK/NACKを含むPUCCH/PUSCH310は、sPUCCH315上でのSR機会の開始の前に時間330において省略または停止されてよく、SRは固有のリソースで送信されてよい。
【００９８】
論理チャネルのためのSRが時間325におけるPUCCH/PUSCH310の送信の開始の後にトリガされる場合、考慮すべきいくつかの場合があり得る。第1の場合には、SRは、UE115がSRをsPUCCHリソースにマッピングすることを決定しない限り、SRが次のSR PUCCHリソース上で送信される場合にコリジョンが発生し得ないように、PUCCHとsPUCCHの両方で送信され得る。第2の場合には、SRはPUCCH上で送信されてよく、たとえば、SRは次のSR PUCCHリソース上で送信されるのを待機してよい。この場合、コリジョンは回避され得る。第3の場合には、SRはsPUCCH上で送信されることがあり、いくつかの代替の形態が生じることがある。第1の代替形態では、sPUCCH315が進行中のPUCCH/PUSCH310と衝突する場合、SRは、送信されなくてよく、代わりに、次のSRの機会まで延期されてよい。第2の代替形態では、コリジョンを回避するために、PUCCH/PUSCH310は、時間330において、またはsPUCCH315上のSR機会の開始の前に、省略または停止され得る。この例では、PUCCH/PUSCH310上のSRおよびHARQ ACK/NACKは、sPUCCH315のsTTI上で送信され得る。UE115は、この代替形態において使用すべきsPUCCH315リソースを決定し得る。第3の代替形態では、HARQ ACK/NACKを含むPUCCH/PUSCH310は、sPUCCH315上でのSR機会の開始の前に省略または停止されてよく、SRは固有のリソースで送信されてよい。
【００９９】
いくつかの例では、UE115は、SRおよび/またはHARQ ACK/NACKがいつどのように送信されるかを決定し得る、様々な構成を受信し得る。たとえば、PUCCH/PUSCH310上での、またはsPUCCH315上でのSRの送信が構成され得る(構成が受信されない場合、UE115には選択肢があり得る)。加えて、SRの送信がより後のSR機会に延期され得るかどうかが、UE115のために構成され得る。PUCCH/PUSCH310、またはHARQ ACK/NACK、または両方を省略するためのUE115の能力も構成され得る。アップリンク制御情報を送信するための場合および代替形態を決定するとき、UE115は、トラフィックタイプ(たとえば、低レイテンシ、超高信頼性、モバイルブロードバンドなど)および/または論理チャネルタイプ(たとえば、制御チャネルおよびトラフィックチャネル)も考慮し得る。
【０１００】
本明細書で説明されるように、PUCCH/PUSCH上でのレガシーACK/NACK送信とのコリジョンを依然としてもたらし得る、sPUCCH315上でのSR送信の場合があり、UE115は、sPUCCH315上でのSRとACK/NACK情報の合成された送信にどのリソースを使用すべきかを決定する必要があり得る。たとえば、HARQ ACK/NACKが2ビットより大きいとき、UE115がsPUCCH上でのSR送信のために構成され(たとえば、PUCCH/PUSCH310上での送信を構成できない、またはUE115がsPUCCH315上での送信を選ぶ)、かつDCI(またはARI)が以前に受信されていないとき、SRおよび1ms HARQ ACK/NACKのコリジョンは、前述の場合には回避可能ではないことがある。結果として、SRがsPUCCH315のsTTI上で送信される可能性があり、PUCCH/PUSCH310のHARQ ACK/NACKもsPUCCH315のsTTI上で送信される可能性があるとき、UE115は、使用すべきsPUCCH315リソースを決定し得る。たとえば、UE115は、より長いTTIに対するHARQフィードバックとsTTIに対するSRとのコリジョンを回避するように、SRおよびACK/NACK情報の送信のためのリソースを用いて構成され得る。そのような場合、sPUCCHフォーマット4(または、sTTIの持続時間に応じて、sPUCCHフォーマット3)のための特定のリソースは、SRおよびACK/NACKの合成された送信のために構成され得る。他の例では、複数のリソースが、sPUCCHフォーマット4を使用したSRおよびACK/NACKの送信のために構成されることがあり、UE115は、ACK/NACK情報のサイズ(たとえば、ビットの数)に対する最大のコーディングレートを超えないリソースの最小のセットに基づいて複数のリソースのうちの1つを選択することがある。追加または代替として、UE115は、UE115に示されたsPUCCHフォーマット4(またはsPUCCHフォーマット3)の直近の事例を特定し得る。そのような場合、UE115は、特定された直近のフォーマットの指示に基づくリソースを使用して、SRおよびACK/NACK情報を送信し得る。
【０１０１】
図4は、本開示の態様による、SRおよびUCIのためのコリジョンの回避をサポートするシステムにおけるプロセスフロー400の例を示す。プロセスフロー400は、図1および図2を参照して説明されたような基地局105およびUE115の例であり得る、基地局105-bおよびUE115-bを含む。プロセスフロー400は、SRおよびHARQフィードバックの送信のためのsPUCCHリソースの首尾一貫した選択を通じた、コリジョンの回避のための技法を説明し得る。
【０１０２】
405において、基地局105-bはデータをUE115-bに送信し得る。たとえば、データは、UE115-bからのHARQフィードバックの対象であり得る。410において、UE115-bは、送信の準備ができているアップリンクデータ(たとえば、低レイテンシデータ、またはsTTI送信と関連付けられるデータ)を特定することができ、sPUCCH上で送信されるべきSRを特定することができる。図3の時系列300を参照して説明されたように、UE115-bがいつSRトリガを検出するかのタイミングは、SRがいつどのリソースで送信されるかに影響を及ぼし得る。
【０１０３】
415において、UE115-bは、たとえば405において受信されたデータに対するHARQフィードバックからなる、PUCCH(またはPUSCH)上で送信されるべきACK/NACK情報を特定し得る。UE115-bはまた、sPUCCH上で送信されるべき特定されたSRと、PUCCHが衝突することを特定し得る。たとえば、PUCCHおよびsPUCCHは、時間的に重複するそれぞれのTTI上で送信される。UE115-bによる同時送信が可能ではない場合、PUSCH/PUCCHは停止されてよく、PUSCH/PUCCHからのHARQ ACK/NACKはsPUCCH上で送信されてよい。UE115-bは、SRとともに送信されるべきHARQビットの数に基づいてsPUCCHフォーマット4を使用すると決定し得る(たとえば、sPUCCHがスロットより短いTTI持続時間を使用して送信されるとき)。他の場合には、本明細書で説明されるように、sPUCCH3は、HARQビットの数に基づいて使用され得る。
【０１０４】
420において、UE115-bは、SRおよびACK/NACK情報の送信のために使用されるべきsPUCCHのリソースを決定し、PUCCH HARQビットおよびSRをsPUCCHの決定されたリソースにマッピングし得る。たとえば、コリジョンを回避するために、PUCCH/PUSCH上のSRおよびHARQ ACK/NACKは、sPUCCHのsTTI上でマッピングされ得る。UE115-bは、ダウンリンクグラント、DCI、またはARIが受信されていない場合、この代替形態において使用すべきsPUCCHリソースを決定し得る。ある例では、UE115-bは、ACK/NACK情報のサイズに基づいてsPUCCHのフォーマット(たとえば、フォーマット3またはフォーマット4)を決定し、このフォーマットに従ってSRおよびACK/NACK情報を送信するために使用されるべきリソースのセットからの1つまたは複数のリソースを示すSR構成を特定し得る。すなわち、単一のsPUCCHリソースまたは複数のsPUCCHリソースが、SRおよびACK/NACK情報の送信のために構成され得る。いくつかの場合、1つまたは複数のリソースは、sPUCCHがそれを用いて送信されるべきsTTIの持続時間に基づいて、sPUCCHのフォーマットのために構成され得る。最大コーディングレートは、HARQおよびSRを1つまたは複数のリソースブロックにマッピングするとき、UE115-bによって考慮され得る。したがって、UE115-bは、最大コーディングレートより低いコーディングレートを有する最少のリソースブロックを選択し得る。いくつかの例では、HARQフィードバック情報は、sTTIより長い持続時間を有するTTIを使用した通信と関連付けられ得る。すなわち、sTTIを使用した通信に対するHARQフィードバック情報はないことがあり、SRとともに含まれるHARQフィードバック情報は、より長いTTIに対するものであることがある。
【０１０５】
いくつかの場合、UE115-bは、最大コーディングレートに基づいて使用すべきリソースを検査し得る。たとえば、UE115-bは、sPUCCHのリソースに対するコーディングレート閾値を特定することができ、次いで、コーディングレート閾値、ACK/NACK情報のサイズ、およびCRCビットの数に基づいて、1つまたは複数の構成されるリソースからsPUCCHのリソースを決定することができる。そのような場合、UE115-bは、1つまたは複数のリソースから、第1のリソースのコーディングレートが第1のリソースのペイロードサイズに基づくコーディングレート閾値を満たすように、SRおよびACK/NACK情報を送信するためのsPUCCHの第1のリソースを選択することができ、第1のリソースは、1つまたは複数のリソースのうちで最小のリソースである。他の例では、UE115-bは、第1のリソースのペイロードサイズに基づいて、第1のリソースがコーディングレート閾値を満たさない(たとえば、最大コーディングレートを超えた)と決定することができ、第2のリソースのコーディングレートがコーディングレート閾値を満たすようにsPUCCHの第2のリソースを選択することができる。第2のリソースは第1のリソースより大きいことがある。
【０１０６】
いくつかの場合、UCI送信のためのリソース選択のためのそのような技法は、SRとレガシーACK/NACK情報との間にコリジョンがないときであっても実行され得る。たとえば、UE115-bは、アップリンク制御メッセージのために使用されるべきアップリンク制御チャネルの制御チャネルリソースのセットの指示を受信し、アップリンク制御メッセージに対するコーディングレート閾値を特定することができ、アップリンク制御メッセージのペイロードサイズを決定すると、制御チャネルリソースのセットから、コーディングレート閾値およびアップリンク制御メッセージの決定されたペイロードサイズに基づいて制御チャネルリソースを選択することができる。
【０１０７】
追加または代替として、UE115-bは、UE115-bに示された決定されたフォーマットを有するsPUCCHの直近の事例を特定することができ、SRおよびACK/NACK情報の送信のために使用されるべきsPUCCHのリソースを決定することは、直近の事例、または決定されたフォーマット、またはこれらの組合せに基づき得る。
【０１０８】
425において、UE115-bは、基地局105-bに、sPUCCHの構成されたリソースを介してSRおよびACK/NACK情報を送信し得る。たとえば、HARQおよびSRの2つより多くのビットが送信されるべきであるとき、sPUCCHフォーマット3または4が使用され得る。430において、基地局105-bは、HARQフィードバックに対して2回の仮説の確認を実行し得る。たとえば、基地局105-bはSRが送信されていることを知らないことがあるので、基地局105-bはレガシーHARQ ACK/NACKのためにPUCCH/PUSCHとsPUCCHの両方を確認することがある。435において、基地局105-bは、送信されたSRおよびHARQフィードバックを検出し得る。
【０１０９】
図5は、本開示の態様による、SRおよびUCIのためのコリジョンの回避をサポートするワイヤレスデバイス505のブロック図500を示す。ワイヤレスデバイス505は、本明細書で説明されるようなUE115の態様の例であり得る。ワイヤレスデバイス505は、受信機510、UE通信マネージャ515、および送信機520を含み得る。ワイヤレスデバイス505は、プロセッサも含み得る。これらの構成要素の各々は、(たとえば、1つまたは複数のバスを介して)互いに通信していることがある。
【０１１０】
受信機510は、パケット、ユーザデータ、または様々な情報チャネル(たとえば、SRおよびUCIのためのコリジョンの回避に関する制御チャネル、データチャネル、および情報など)と関連付けられる制御情報などの、情報を受信し得る。情報は、デバイスの他の構成要素に受け渡され得る。受信機510は、図8を参照して説明されるトランシーバ835の態様の例であり得る。受信機510は、単一のアンテナまたはアンテナのセットを利用し得る。
【０１１１】
UE通信マネージャ515は、図8を参照して説明されるUE通信マネージャ815の態様の例であり得る。UE通信マネージャ515および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE通信マネージャ515および/またはその様々な副構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明される機能を実行するように設計されたそれらの任意の組合せによって実行され得る。
【０１１２】
UE通信マネージャ515および/またはその様々な副構成要素のうちの少なくともいくつかは、機能の部分が1つまたは複数の物理デバイスによって異なる物理的位置に実装されるように分散されることを含めて、様々な場所に物理的に位置し得る。いくつかの例では、UE通信マネージャ515および/またはその様々な副構成要素のうちの少なくともいくつかは、本開示の様々な態様による別個のおよび異なる構成要素であり得る。他の例では、通信マネージャ515および/またはその様々な副構成要素のうちの少なくともいくつかは、限定はされないが、入出力(I/O)構成要素、トランシーバ、ネットワークサーバ、別のコンピューティングデバイス、本開示で説明される1つもしくは複数の他の構成要素、または本開示の様々な態様によるそれらの組合せを含む、1つまたは複数の他のハードウェア構成要素と組み合わせられ得る。
【０１１３】
UE通信マネージャ515は、第1のTTI持続時間を有する第1のアップリンク制御チャネルメッセージ上でSRが送信されるべきであることを特定し、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。そのような場合、UE通信マネージャ515は、第1のアップリンク制御チャネルメッセージが第2のアップリンク制御チャネルメッセージと重複することに基づいて、ACK/NACK情報が第1のアップリンク制御チャネルメッセージ上でSRとともに送信されるべきであると決定し、SRおよびACK/NACK情報の送信のために使用されるべき第1のアップリンク制御チャネルメッセージのリソースを決定し、第1のアップリンク制御チャネルメッセージの決定されたリソース上でSRおよびACK/NACK情報を送信し得る。
【０１１４】
UE通信マネージャ515はまた、アップリンク制御メッセージのために使用されるべきアップリンク制御チャネルメッセージの制御チャネルリソースのセットの指示を受信し、アップリンク制御メッセージに対するコーディングレート閾値を特定し、アップリンク制御メッセージのペイロードサイズを決定し得る。UE通信マネージャ515は、制御チャネルリソースのセットから、コーディングレート閾値およびアップリンク制御メッセージの決定されたペイロードサイズに基づいて制御チャネルリソースを選択し、選択された制御チャネルリソースを使用してアップリンク制御メッセージを基地局105に送信し得る。
【０１１５】
送信機520は、デバイスの他の構成要素によって生成された信号を送信し得る。いくつかの例では、送信機520は、トランシーバモジュールの中の受信機510と併置され得る。たとえば、送信機520は、図8を参照して説明されるトランシーバ835の態様の例であり得る。送信機520は、単一のアンテナまたはアンテナのセットを利用し得る。
【０１１６】
図6は、本開示の態様による、SRおよびUCIのためのコリジョンの回避をサポートするワイヤレスデバイス605のブロック図600を示す。ワイヤレスデバイス605は、図5を参照して説明されるようなワイヤレスデバイス505またはUE115の態様の例であり得る。ワイヤレスデバイス605は、受信機610、UE通信マネージャ615、および送信機620を含み得る。ワイヤレスデバイス605は、プロセッサも含み得る。これらの構成要素の各々は、(たとえば、1つまたは複数のバスを介して)互いに通信していることがある。
【０１１７】
受信機610は、パケット、ユーザデータ、または様々な情報チャネル(たとえば、SRおよびUCIのためのコリジョンの回避に関する制御チャネル、データチャネル、および情報など)と関連付けられる制御情報などの、情報を受信し得る。情報は、デバイスの他の構成要素に受け渡され得る。受信機610は、図8を参照して説明されるトランシーバ835の態様の例であり得る。受信機610は、単一のアンテナまたはアンテナのセットを利用し得る。
【０１１８】
UE通信マネージャ615は、図8を参照して説明されるUE通信マネージャ815の態様の例であり得る。UE通信マネージャ615はまた、SR構成要素625、コリジョンマネージャ630、リソース構成要素635、SR送信構成要素640、アップリンク制御メッセージ構成要素645、およびUCI送信機650を含み得る。
【０１１９】
SR構成要素625は、第1のTTI持続時間を有する第1のアップリンク制御チャネルメッセージ上でSRが送信されるべきであることを特定し、第1のアップリンク制御チャネルメッセージが第2のアップリンク制御チャネルメッセージと重複することに基づいて、第1のアップリンク制御チャネルメッセージ上でSRとともにACK/NACK情報が送信されるべきであることを決定し得る。
【０１２０】
コリジョンマネージャ630は、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。いくつかの例では、コリジョンマネージャ630は、第1のアップリンク制御チャネルメッセージに対するARIを含むDCIの不在を決定することができ、SRおよびACK/NACK情報の送信に使用されるべき第1のアップリンク制御チャネルメッセージのリソースを決定することは、DCIの不在に基づく。いくつかの場合、コリジョンマネージャ630は、第1のアップリンク制御チャネルメッセージ上でSRが送信されるべきであることを示すSR構成を受信し、ACK/NACK情報のサイズが2ビットより大きいことを決定し得る。
【０１２１】
リソース構成要素635は、SRおよびACK/NACK情報の送信のために使用されるべき第1のアップリンク制御チャネルメッセージのリソースを決定し得る。いくつかの場合、リソース構成要素635は、2つ以上のリソースから、第1のリソースのコーディングレートが第1のリソースのペイロードサイズに基づくコーディングレート閾値を満たすように、SRおよびACK/NACK情報を送信するための第1のリソースを選択することができ、第1のリソースは、2つ以上のリソースのうちで最小のリソースである。追加または代替として、リソース構成要素635は、2つ以上のリソースから、SRおよびACK/NACK情報を送信するための第1のリソースを選択し、2つ以上のリソースから、第2のリソースのコーディングレートがコーディングレート閾値を満たすように(たとえば、第1のリソースがコーディングレート閾値を満たさないとき)第2のリソースを選択することができ、第2のリソースは第1のリソースより大きい。いくつかの場合、第1のアップリンク制御チャネルメッセージのリソースを決定することは、コーディングレート閾値、ACK/NACK情報のサイズ、およびCRCビットの数に基づいて、2つ以上のリソースからリソースを決定することを含む。
【０１２２】
いくつかの例では、リソース構成要素635は、アップリンク制御メッセージのために使用されるべきアップリンク制御チャネルの制御チャネルリソースのセットの指示を受信し得る。いくつかの場合、リソース構成要素635は、制御チャネルリソースのセットから、コーディングレート閾値およびアップリンク制御メッセージの決定されたペイロードサイズに基づいて制御チャネルリソースを選択し得る。いくつかの場合、制御チャネルリソースを選択することは、制御チャネルリソースのコーディングレートがコーディングレート閾値を満たすように制御チャネルリソースを選択することを含み、制御チャネルリソースは、制御チャネルリソースのセットのうちで最小のリソースである。追加または代替として、リソース構成要素635は、制御チャネルリソースのセットから、第2の制御チャネルリソースのコーディングレートがコーディングレート閾値を満たすように、第2の制御チャネルリソースを選択することができ、第2の制御チャネルリソースは第1の制御チャネルリソースより大きい。
【０１２３】
いくつかの例では、リソース構成要素635は、アップリンク制御メッセージのために制御チャネルリソースのセットのうちのいずれを使用すべきかの指示を受信することができ、この指示はDCIのARIを介して受信される。制御チャネルリソースを選択することは、コーディングレート閾値、アップリンク制御メッセージ内のACK/NACK情報のサイズ、アップリンク制御メッセージのためのCRCビットの数に基づいて、制御チャネルリソースを選択することを含み得る。いくつかの場合、アップリンク制御チャネルメッセージのフォーマットは、sPUCCHフォーマット4である。いくつかの場合、2つ以上のリソースの各々がある数のRBにマッピングされる。いくつかの場合、制御チャネルリソースを選択することは、制御チャネルリソースのセットから制御チャネルリソースを選択することを含む。
【０１２４】
SR送信構成要素640は、第1のアップリンク制御チャネルメッセージの決定されたリソース上でSRおよびACK/NACK情報を送信し得る。いくつかの場合、SR送信構成要素は、トランシーバ(たとえば、送信機620を含む)と結合されてよく、トランシーバと協調して、またはそれを使用して、SRおよびACK/NACK情報を送信してよい。アップリンク制御メッセージ構成要素645は、アップリンク制御メッセージに対するコーディングレート閾値を特定し、アップリンク制御メッセージのペイロードサイズを決定し、アップリンク制御メッセージのペイロードサイズに基づいて、制御チャネルリソースがコーディングレート閾値を満たさないと決定し得る。UCI送信機650は、選択された制御チャネルリソースを使用して、アップリンク制御メッセージを基地局105に送信し得る。
【０１２５】
送信機620は、デバイスの他の構成要素によって生成された信号を送信し得る。いくつかの例では、送信機620は、トランシーバモジュールの中の受信機610と併置され得る。たとえば、送信機620は、図8を参照して説明されるトランシーバ835の態様の例であり得る。送信機620は、単一のアンテナまたはアンテナのセットを利用し得る。
【０１２６】
図7は、本開示の態様による、SRおよびUCIのためのコリジョンの回避をサポートするUE通信マネージャ715のブロック図700を示す。UE通信マネージャ715は、図5、図6、および図8を参照して説明される、UE通信マネージャ515、UE通信マネージャ615、またはUE通信マネージャ815の態様の例であり得る。UE通信マネージャ715は、SR構成要素720、コリジョンマネージャ725、リソース構成要素730、SR送信構成要素735、アップリンク制御メッセージ構成要素740、UCI送信機745、フォーマットマネージャ750、構成マネージャ755、およびエンコーダ760を含み得る。これらのモジュールの各々は、(たとえば、1つまたは複数のバスを介して)互いと直接または間接的に通信し得る。
【０１２７】
SR構成要素720は、第1のTTI持続時間を有する第1のアップリンク制御チャネルメッセージ上でSRが送信されるべきであることを特定し、第1のアップリンク制御チャネルメッセージが第2のアップリンク制御チャネルメッセージと重複することに基づいて、第1のアップリンク制御チャネルメッセージ上でSRとともにACK/NACK情報が送信されるべきであることを決定し得る。
【０１２８】
コリジョンマネージャ725は、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。いくつかの例では、コリジョンマネージャ725は、第1のアップリンク制御チャネルメッセージに対するARIを含むDCIの不在を決定することができ、SRおよびACK/NACK情報の送信に使用されるべき第1のアップリンク制御チャネルメッセージのリソースを決定することは、DCIの不在に基づく。いくつかの場合、コリジョンマネージャ725は、第1のアップリンク制御チャネルメッセージ上でSRが送信されるべきであることを示すSR構成を受信し、ACK/NACK情報のサイズが2ビットより大きいことを決定し得る。
【０１２９】
リソース構成要素730は、SRおよびACK/NACK情報の送信のために使用されるべき第1のアップリンク制御チャネルメッセージのリソースを決定し得る。いくつかの場合、リソース構成要素730は、2つ以上のリソースから、第1のリソースのコーディングレートが第1のリソースのペイロードサイズに基づくコーディングレート閾値を満たすように、SRおよびACK/NACK情報を送信するための第1のリソースを選択することができ、第1のリソースは、2つ以上のリソースのうちで最小のリソースである。追加または代替として、リソース構成要素730は、2つ以上のリソースから、SRおよびACK/NACK情報を送信するための第1のリソースを選択し、2つ以上のリソースから、第2のリソースのコーディングレートがコーディングレート閾値を満たすように(たとえば、第1のリソースがコーディングレート閾値を満たさないとき)第2のリソースを選択することができ、第2のリソースは第1のリソースより大きい。いくつかの場合、第1のアップリンク制御チャネルメッセージのリソースを決定することは、コーディングレート閾値、ACK/NACK情報のサイズ、およびCRCビットの数に基づいて、2つ以上のリソースからリソースを決定することを含む。
【０１３０】
いくつかの例では、リソース構成要素730は、アップリンク制御メッセージのために使用されるべきアップリンク制御チャネルの制御チャネルリソースのセットの指示を受信し得る。いくつかの場合、リソース構成要素730は、制御チャネルリソースのセットから、コーディングレート閾値およびアップリンク制御メッセージの決定されたペイロードサイズに基づいて制御チャネルリソースを選択し得る。いくつかの場合、制御チャネルリソースを選択することは、制御チャネルリソースのコーディングレートがコーディングレート閾値を満たすように制御チャネルリソースを選択することを含み、制御チャネルリソースは、制御チャネルリソースのセットのうちで最小のリソースである。追加または代替として、リソース構成要素730は、制御チャネルリソースのセットから、第2の制御チャネルリソースのコーディングレートがコーディングレート閾値を満たすように、第2の制御チャネルリソースを選択することができ、第2の制御チャネルリソースは第1の制御チャネルリソースより大きい。
【０１３１】
いくつかの例では、リソース構成要素730は、アップリンク制御メッセージのために制御チャネルリソースのセットのうちのいずれを使用すべきかの指示を受信することができ、この指示はDCIのARIを介して受信される。制御チャネルリソースを選択することは、コーディングレート閾値、アップリンク制御メッセージ内のACK/NACK情報のサイズ、アップリンク制御メッセージのためのCRCビットの数に基づいて、制御チャネルリソースを選択することを含み得る。いくつかの場合、アップリンク制御チャネルメッセージのフォーマットは、sPUCCHフォーマット4である。いくつかの場合、2つ以上のリソースの各々がある数のRBにマッピングされる。いくつかの場合、制御チャネルリソースを選択することは、制御チャネルリソースのセットから制御チャネルリソースを選択することを含む。
【０１３２】
SR送信構成要素735は、第1のアップリンク制御チャネルメッセージの決定されたリソース上でSRおよびACK/NACK情報を送信し得る。アップリンク制御メッセージ構成要素740は、アップリンク制御メッセージに対するコーディングレート閾値を特定し、アップリンク制御メッセージのペイロードサイズを決定し、アップリンク制御メッセージのペイロードサイズに基づいて、制御チャネルリソースがコーディングレート閾値を満たさないと決定し得る。UCI送信機745は、選択された制御チャネルリソースを使用して、アップリンク制御メッセージを基地局105に送信し得る。
【０１３３】
フォーマットマネージャ750は、ACK/NACK情報のサイズに基づいて第1のアップリンク制御チャネルメッセージのフォーマットを決定することができ、第1のアップリンク制御チャネルメッセージのフォーマットはリソースのセットに対応する。いくつかの例では、フォーマットマネージャ750は、UE115に示された決定されたフォーマットを有する第1のアップリンク制御チャネルメッセージの直近の事例を特定することができ、SRおよびACK/NACK情報の送信のために使用されるべき第1のアップリンク制御チャネルメッセージのリソースを決定することは、直近の事例、または決定されたフォーマット、またはこれらの組合せに基づく。いくつかの場合、第1のアップリンク制御チャネルメッセージのフォーマットを決定することは、第1のTTI持続時間に基づいてリソースに対するフォーマット構成を特定することを含み、第1のTTI持続時間は、スロットまたはスロットより短い持続時間を含むことがあり、フォーマットはsPUCCHフォーマット3またはsPUCCHフォーマット4を含む。
【０１３４】
構成マネージャ755は、フォーマットに従ってSRおよびACK/NACK情報を送信するためのリソースのセットからの第1のリソースを示すSR構成を特定することができ、決定されたリソースは第1のリソースを含む。追加または代替として、構成マネージャ755は、フォーマットに従ってSRおよびACK/NACK情報を送信するために使用されるべきリソースのセットからの2つ以上のリソースを示すSR構成を特定することができ、決定されるリソースはSR構成に基づいて2つ以上のリソースから選択される。いくつかの場合、SR構成は、DCI、RRCメッセージング、またはこれらの組合せを介して受信される。いくつかの場合、SR構成はあらかじめ構成される。いくつかの場合、ACK/NACK情報は、第2のTTI持続時間を使用する通信と関連付けられる。
【０１３５】
いくつかの例では、構成マネージャ755は、ACK/NACK情報、SR、またはこれらの組合せの送信のために、構成のセットからSR構成を特定し得る。たとえば、構成のセットのうちの第1の構成は、SRが第1のアップリンク制御チャネルメッセージ上で送信されるべきか、または第2のアップリンク制御チャネルメッセージ上で送信されるべきかの指示(たとえば、チャネル制約)を含む。加えて、構成のセットのうちの第2の構成は、SRの送信が(たとえば、より後のSR機会に)延期されるべきであるかどうかを示すことができ、構成のセットのうちの第3の構成は、(たとえば、送信の前、またはSRトリガに基づいて送信される間のいずれかにおいて)第2のアップリンク制御チャネルメッセージが省略され得ることを示すことができる。他の例では、構成のセットのうちの第4の構成は、第2のアップリンク制御チャネルメッセージおよびACK/NACK情報が省略され得る(たとえば、SRのみが送信される場合)ことを示し得る。エンコーダ760は、第1のアップリンク制御チャネルメッセージのリソースに対するコーディングレート閾値を特定し、第1のリソースのペイロードサイズに基づいて、第1のリソースがコーディングレート閾値を満たさないと決定し得る。
【０１３６】
図8は、本開示の態様による、SRおよびUCIのためのコリジョンの回避をサポートするデバイス805を含むシステム800の図を示す。デバイス805は、たとえば、図5および図6を参照して本明細書で説明されたようなワイヤレスデバイス505、ワイヤレスデバイス605、またはUE115の構成要素の例であるか、またはそれらを含み得る。デバイス805は、UE通信マネージャ815と、プロセッサ820と、メモリ825と、ソフトウェア830と、トランシーバ835と、アンテナ840と、入出力コントローラ845とを含む、通信を送信および受信するための構成要素を含む双方向音声およびデータ通信のための構成要素を含み得る。これらの構成要素は、1つまたは複数のバス(たとえば、バス810)を介して電子的に通信していることがある。デバイス805は、1つまたは複数の基地局105とワイヤレスに通信し得る。
【０１３７】
プロセッサ820は、インテリジェントハードウェアデバイス(たとえば、汎用プロセッサ、DSP、中央処理ユニット(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。いくつかの場合、プロセッサ820は、メモリコントローラを使用してメモリアレイを動作させるように構成され得る。他の場合には、メモリコントローラは、プロセッサ820に統合され得る。プロセッサ820は、様々な機能(たとえば、SRおよびUCIのためのコリジョンの回避をサポートする機能またはタスク)を実行するために、メモリに記憶されたコンピュータ可読命令を実行するように構成され得る。
【０１３８】
メモリ825は、ランダムアクセスメモリ(RAM)と読取り専用メモリ(ROM)とを含み得る。メモリ825は、実行されると、プロセッサに本明細書で説明される様々な機能を実行させる命令を含む、コンピュータ可読のコンピュータ実行可能ソフトウェア830を記憶することができる。いくつかの場合、メモリ825は、特に、周辺構成要素または周辺デバイスとの対話などの基本的なハードウェア動作またはソフトウェア動作を制御し得る基本入出力システム(BIOS)を含み得る。
【０１３９】
ソフトウェア830は、SRおよびUCIのためのコリジョンの回避をサポートするためのコードを含む、本開示の態様を実装するためのコードを含み得る。ソフトウェア830は、システムメモリまたは他のメモリなどの非一時的コンピュータ可読媒体に記憶され得る。いくつかの場合、ソフトウェア830は、プロセッサによって直接実行可能ではないことがあるが、(たとえば、コンパイルされ実行されると)本明細書で説明される機能をコンピュータに実行させることがある。
【０１４０】
トランシーバ835は、本明細書で説明されるように、1つまたは複数のアンテナ、有線リンク、またはワイヤレスリンクを介して双方向に通信し得る。たとえば、トランシーバ835はワイヤレストランシーバを表すことがあり、別のワイヤレストランシーバと双方向に通信し得る。トランシーバ835はまた、パケットを変調し、変調されたパケットを送信のためにアンテナに与え、かつアンテナから受信されたパケットを復調するためのモデムを含み得る。いくつかの場合、ワイヤレスデバイスは単一のアンテナ840を含み得る。しかしながら、いくつかの場合、デバイスは、複数のワイヤレス送信を同時に送信または受信することが可能であり得る複数のアンテナ840を有し得る。
【０１４１】
I/Oコントローラ845は、デバイス805のための入力および出力信号を管理し得る。I/Oコントローラ845はまた、デバイス805に組み込まれない周辺機器を管理し得る。いくつかの場合、I/Oコントローラ845は、外部周辺機器への物理接続またはポートを表し得る。いくつかの場合、I/Oコントローラ845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。いくつかの場合、I/Oコントローラ845は、モデム、キーボード、マウス、タッチスクリーン、または同様のデバイスを表すか、またはそれらと対話し得る。いくつかの場合、I/Oコントローラ845は、プロセッサの一部として実装され得る。いくつかの場合、ユーザは、I/Oコントローラ845を介して、またはI/Oコントローラ845によって制御されるハードウェア構成要素を介してデバイス805と対話し得る。
【０１４２】
図9は、本開示の態様による、SRおよびUCIのためのコリジョンの回避をサポートするワイヤレスデバイス905のブロック図900を示す。ワイヤレスデバイス905は、本明細書で説明されるような基地局105の態様の例であり得る。ワイヤレスデバイス905は、受信機910と、基地局通信マネージャ915と、送信機920とを含み得る。ワイヤレスデバイス905は、プロセッサも含み得る。これらの構成要素の各々は、(たとえば、1つまたは複数のバスを介して)互いに通信していることがある。
【０１４３】
受信機910は、パケット、ユーザデータ、または様々な情報チャネル(たとえば、SRおよびUCIのためのコリジョンの回避に関する制御チャネル、データチャネル、および情報など)と関連付けられる制御情報などの、情報を受信し得る。情報は、デバイスの他の構成要素に受け渡され得る。受信機910は、図12を参照して説明されるトランシーバ1235の態様の例であり得る。受信機910は、単一のアンテナまたはアンテナのセットを利用し得る。
【０１４４】
基地局通信マネージャ915は、図12を参照して説明される基地局通信マネージャ1215の態様の例であり得る。基地局通信マネージャ915および/またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ915および/またはその様々な副構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明される機能を実行するように設計されるそれらの任意の組合せによって実行され得る。
【０１４５】
基地局通信マネージャ915および/またはその様々な副構成要素のうちの少なくともいくつかは、機能の部分が1つまたは複数の物理デバイスによって異なる物理的位置において実装されるように分散されることを含めて、様々な場所に物理的に位置し得る。いくつかの例では、基地局通信マネージャ915および/またはその様々な副構成要素のうちの少なくともいくつかは、本開示の様々な態様による別個のおよび異なる構成要素であり得る。他の例では、基地局通信マネージャ915および/またはその様々な副構成要素のうちの少なくともいくつかは、限定はされないが、I/O構成要素、トランシーバ、ネットワークサーバ、別のコンピューティングデバイス、本開示で説明される1つもしくは複数の他の構成要素、または本開示の様々な態様によるそれらの組合せを含む、1つまたは複数の他のハードウェア構成要素と組み合わせられ得る。
【０１４６】
基地局通信マネージャ915は、アップリンク制御メッセージのフォーマットおよびコーディングレート閾値に基づいて、アップリンク制御メッセージの送信のためのアップリンク制御チャネルのリソースのセットを構成し、アップリンク制御メッセージが第2のTTI持続時間より短い第1のTTI持続時間を有し、UE115に、アップリンク制御メッセージのために使用すべきアップリンク制御チャネルのリソースのセットの指示を送信し得る。
【０１４７】
送信機920は、デバイスの他の構成要素によって生成された信号を送信し得る。いくつかの例では、送信機920は、トランシーバモジュール内で受信機910と併置され得る。たとえば、送信機920は、図12を参照して説明されるトランシーバ1235の態様の例であり得る。送信機920は、単一のアンテナまたはアンテナのセットを利用し得る。
【０１４８】
図10は、本開示の態様による、SRおよびUCIのためのコリジョンの回避をサポートするワイヤレスデバイス1005のブロック図1000を示す。ワイヤレスデバイス1005は、図9を参照して説明されたような、ワイヤレスデバイス905または基地局105の態様の例であり得る。ワイヤレスデバイス1005は、受信機1010と、基地局通信マネージャ1015と、送信機1020とを含み得る。ワイヤレスデバイス1005は、プロセッサも含み得る。これらの構成要素の各々は、(たとえば、1つまたは複数のバスを介して)互いに通信していることがある。
【０１４９】
受信機1010は、パケット、ユーザデータ、または様々な情報チャネル(たとえば、SRおよびUCIのためのコリジョンの回避に関する制御チャネル、データチャネル、および情報など)と関連付けられる制御情報などの、情報を受信し得る。情報は、デバイスの他の構成要素に受け渡され得る。受信機1010は、図12を参照して説明されるトランシーバ1235の態様の例であり得る。受信機1010は、単一のアンテナまたはアンテナのセットを利用し得る。
【０１５０】
基地局通信マネージャ1015は、図12を参照して説明される基地局通信マネージャ1215の態様の例であり得る。基地局通信マネージャ1015はまた、制御チャネルフォーマット構成要素1025、コーディングレート閾値構成要素1030、およびリソース構成マネージャ1035を含み得る。
【０１５１】
制御チャネルフォーマット構成要素1025は、アップリンク制御チャネルメッセージのフォーマットを特定し得る。いくつかの場合、フォーマットはsPDCCHフォーマット4を含む。コーディングレート閾値構成要素1030は、アップリンク制御メッセージに対するコーディングレート閾値を決定し得る。
【０１５２】
リソース構成マネージャ1035は、アップリンク制御メッセージのフォーマットおよびコーディングレート閾値に基づいて、アップリンク制御メッセージの送信のためのアップリンク制御チャネルのリソースのセットを構成することができ、アップリンク制御メッセージは第2のTTI持続時間より短い第1のTTI持続時間を有する。いくつかの場合、リソース構成マネージャ1035は、UE115に、アップリンク制御メッセージのために使用すべきアップリンク制御チャネルのリソースのセットの指示を送信し得る。いくつかの場合、指示を送信することは、DCIのARIを介して指示を送信することを含む。いくつかの場合、リソースのセットの各々がある数のRBにマッピングされる。
【０１５３】
送信機1020は、デバイスの他の構成要素によって生成された信号を送信し得る。いくつかの例では、送信機1020は、トランシーバモジュールの中で受信機1010と併置され得る。たとえば、送信機1020は、図12を参照して説明されるトランシーバ1235の態様の例であり得る。送信機1020は、単一のアンテナまたはアンテナのセットを利用し得る。
【０１５４】
図11は、本開示の態様による、SRおよびUCIのためのコリジョンの回避をサポートする基地局通信マネージャ1115のブロック図1100を示す。基地局通信マネージャ1115は、図9、図10、および図12を参照して説明される基地局通信マネージャ1215の態様の例であり得る。基地局通信マネージャ1115は、制御チャネルフォーマット構成要素1120、コーディングレート閾値構成要素1125、およびリソース構成マネージャ1130を含み得る。これらのモジュールの各々は、(たとえば、1つまたは複数のバスを介して)互いと直接または間接的に通信し得る。
【０１５５】
制御チャネルフォーマット構成要素1120は、アップリンク制御メッセージのフォーマットを特定し得る。いくつかの場合、フォーマットはsPDCCHフォーマット4を含む。コーディングレート閾値構成要素1125は、アップリンク制御メッセージに対するコーディングレート閾値を決定し得る。リソース構成マネージャ1130は、アップリンク制御メッセージのフォーマットおよびコーディングレート閾値に基づいて、アップリンク制御メッセージの送信のためのアップリンク制御チャネルのリソースのセットを構成することができ、アップリンク制御メッセージは第2のTTI持続時間より短い第1のTTI持続時間を有する。いくつかの例では、リソース構成マネージャ1130は、UE115に、アップリンク制御メッセージのために使用すべきアップリンク制御チャネルのリソースのセットの指示を送信し得る。いくつかの場合、指示を送信することは、DCIのARIインジケータを介して指示を送信することを含む。いくつかの場合、リソースのセットの各々がある数のRBにマッピングされる。
【０１５６】
図12は、本開示の態様による、SRおよびUCIのためのコリジョンの回避をサポートするデバイス1205を含むシステム1200の図を示す。デバイス1205は、たとえば、図1を参照して本明細書で説明されたような基地局105の構成要素の例であるか、またはそれらを含み得る。デバイス1205は、基地局通信マネージャ1215と、プロセッサ1220と、メモリ1225と、ソフトウェア1230と、トランシーバ1235と、アンテナ1240と、ネットワーク通信マネージャ1245と、局間通信マネージャ1250とを含む、通信を送信および受信するための構成要素を含む、双方向音声およびデータ通信のための構成要素を含み得る。これらの構成要素は、1つまたは複数のバス(たとえば、バス1210)を介して電子的に通信していることがある。デバイス1205は、1つまたは複数のUE115とワイヤレスに通信し得る。
【０１５７】
プロセッサ1220は、インテリジェントハードウェアデバイス(たとえば、汎用プロセッサ、DSP、CPU、マイクロコントローラ、ASIC、FPGA、プログラム可能論理デバイス、個別ゲートもしくはトランジスタ論理構成要素、個別ハードウェア構成要素、またはそれらの任意の組合せ)を含み得る。いくつかの場合、プロセッサ1220は、メモリコントローラを使用してメモリアレイを動作させるように構成され得る。他の場合には、メモリコントローラは、プロセッサ1220に統合され得る。プロセッサ1220は、様々な機能(たとえば、SRおよびUCIのためのコリジョンの回避をサポートする機能またはタスク)を実行するために、メモリに記憶されたコンピュータ可読命令を実行するように構成され得る。
【０１５８】
メモリ1225は、RAMおよびROMを含み得る。メモリ1225は、実行されると、プロセッサに本明細書で説明される様々な機能を実行させる命令を含む、コンピュータ可読のコンピュータ実行可能ソフトウェア1230を記憶することができる。いくつかの場合、メモリ1225は、特に、周辺構成要素または周辺デバイスとの相互作用などの、基本的なハードウェア動作またはソフトウェア動作を制御し得るBIOSを含み得る。
【０１５９】
ソフトウェア1230は、SRおよびUCIのためのコリジョンの回避をサポートするためのコードを含む、本開示の態様を実装するためのコードを含み得る。ソフトウェア1230は、システムメモリまたは他のメモリなどの非一時的コンピュータ可読媒体に記憶され得る。いくつかの場合、ソフトウェア1230は、プロセッサによって直接実行可能ではないことがあるが、(たとえば、コンパイルされ実行されると)本明細書で説明される機能をコンピュータに実行させることがある。
【０１６０】
トランシーバ1235は、本明細書で説明されるように、1つまたは複数のアンテナ、有線リンク、またはワイヤレスリンクを介して双方向に通信し得る。たとえば、トランシーバ1235は、ワイヤレストランシーバを表すことがあり、別のワイヤレストランシーバと双方向に通信し得る。トランシーバ1235はまた、パケットを変調し、変調されたパケットを送信のためのアンテナに提供し、かつアンテナから受信されたパケットを復調するモデムを含み得る。いくつかの場合、ワイヤレスデバイスは単一のアンテナ1240を含み得る。しかしながら、いくつかの場合、デバイスは、複数のワイヤレス送信を同時に送信または受信することが可能であり得る2つ以上のアンテナ1240を有し得る。
【０１６１】
ネットワーク通信マネージャ1245は、(たとえば、1つまたは複数の有線バックホールリンクを介して)コアネットワークとの通信を管理し得る。たとえば、ネットワーク通信マネージャ1245は、1つまたは複数のUE115などの、クライアントデバイスのためのデータ通信の転送を管理し得る。
【０１６２】
局間通信マネージャ1250は、他の基地局105との通信を管理することができ、他の基地局105と協調してUE115との通信を制御するためのコントローラまたはスケジューラを含み得る。たとえば、局間通信マネージャ1250は、ビームフォーミングまたはジョイント送信などの様々な干渉軽減技法のために、UE115への送信に対するスケジューリングを協調させ得る。いくつかの例では、局間通信マネージャ1250は、基地局105間で通信を行うために、LTE/LTE-Aワイヤレス通信ネットワーク技術内のX2インターフェースを提供し得る。
【０１６３】
図13は、本開示の態様による、SRおよびUCIのためのコリジョンの回避のための方法1300を示すフローチャートを示す。方法1300の動作は、本明細書で説明されるような、UE115またはその構成要素によって実装され得る。たとえば、方法1300の動作は、図5から図8を参照して説明されたようなUE通信マネージャによって実行され得る。いくつかの例では、UE115は、本明細書で説明される機能を実行するようにデバイスの機能要素を制御するためのコードのセットを実行し得る。追加または代替として、UE115は、本明細書で説明される機能の態様を、専用ハードウェアを使用して実行し得る。
【０１６４】
1305において、UE115は、第1のTTI持続時間を有する第1のアップリンク制御チャネルメッセージ上でSRが送信されるべきであることを特定し得る。1305の動作は、本明細書で説明される方法に従って実行され得る。いくつかの例では、1305の動作の態様は、図5から図8を参照して説明されたようなSR構成要素によって実行され得る。
【０１６５】
1310において、UE115は、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。1310の動作は、本明細書で説明される方法に従って実行され得る。いくつかの例では、ブロック1310の動作の態様は、図5から図8を参照して説明されたようなコリジョンマネージャによって実行され得る。
【０１６６】
1315において、UE115は、第1のアップリンク制御チャネルメッセージが第2のアップリンク制御チャネルメッセージと重複することに基づいて、第1のアップリンク制御チャネルメッセージ上でSRとともにACK/NACK情報が送信されるべきであることを決定し得る。1315の動作は、本明細書で説明される方法に従って実行され得る。いくつかの例では、1315の動作の態様は、図5から図8を参照して説明されたようなSR構成要素によって実行され得る。
【０１６７】
1320において、UE115は、SRおよびACK/NACK情報の送信のために使用されるべき第1のアップリンク制御チャネルメッセージのリソースを決定し得る。1320の動作は、本明細書で説明される方法に従って実行され得る。いくつかの例では、1320の動作の態様は、図5から図8を参照して説明されたようなリソース構成要素によって実行され得る。
【０１６８】
1325において、UE115は、第1のアップリンク制御チャネルメッセージの決定されたリソース上でSRおよびACK/NACK情報を送信し得る。1325の動作は、本明細書で説明される方法に従って実行され得る。いくつかの例では、1325の動作の態様は、図5から図8を参照して説明されたようなSR送信構成要素によって実行され得る。
【０１６９】
図14は、本開示の態様による、SRおよびUCIのためのコリジョンの回避のための方法1400を示すフローチャートを示す。方法1400の動作は、本明細書で説明されるような、UE115またはその構成要素によって実装され得る。たとえば、方法1400の動作は、図5から図8を参照して説明されたようなUE通信マネージャによって実行され得る。いくつかの例では、UE115は、本明細書で説明される機能を実行するようにデバイスの機能要素を制御するためのコードのセットを実行し得る。追加または代替として、UE115は、本明細書で説明される機能の態様を、専用ハードウェアを使用して実行し得る。
【０１７０】
1405において、UE115は、第1のTTI持続時間を有する第1のアップリンク制御チャネルメッセージ上でSRが送信されるべきであることを特定し得る。1405の動作は、本明細書で説明される方法に従って実行され得る。いくつかの例では、1405の動作の態様は、図5から図8を参照して説明されたようなSR構成要素によって実行され得る。
【０１７１】
1410において、UE115は、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。1410の動作は、本明細書で説明される方法に従って実行され得る。いくつかの例では、1410の動作の態様は、図5から図8を参照して説明されたようなコリジョンマネージャによって実行され得る。
【０１７２】
1415において、UE115は、ACK/NACK情報のサイズに基づいて第1のアップリンク制御チャネルメッセージのフォーマットを決定することができ、第1のアップリンク制御チャネルメッセージのフォーマットはリソースのセットに対応する。1415の動作は、本明細書で説明される方法に従って実行され得る。いくつかの例では、1415の動作の態様は、図5から図8を参照して説明されたようなフォーマットマネージャによって実行され得る。
【０１７３】
1420において、UE115は、第1のアップリンク制御チャネルメッセージが第2のアップリンク制御チャネルメッセージと重複することに基づいて、第1のアップリンク制御チャネルメッセージ上でSRとともにACK/NACK情報が送信されるべきであることを決定し得る。1420の動作は、本明細書で説明される方法に従って実行され得る。いくつかの例では、1420の動作の態様は、図5から図8を参照して説明されたようなSR構成要素によって実行され得る。
【０１７４】
1425において、UE115は任意選択で、フォーマットに従ってSRおよびACK/NACK情報を送信するために使用されるべきリソースのセットからの第1のリソースを示すSR構成を特定し得る。1425の動作は、本明細書で説明される方法に従って実行され得る。いくつかの例では、ブロック1425の動作の態様は、図5から図8を参照して説明されたような構成マネージャによって実行され得る。
【０１７５】
1430において、UE115は、SRおよびACK/NACK情報の送信のために使用されるべき第1のアップリンク制御チャネルメッセージのリソースを決定することができ、決定されたリソースは第1のリソースを含む。1430の動作は、本明細書で説明される方法に従って実行され得る。いくつかの例では、1430の動作の態様は、図5から図8を参照して説明されたようなリソース構成要素によって実行され得る。
【０１７６】
1435において、UE115は、第1のアップリンク制御チャネルメッセージの決定されたリソース上でSRおよびACK/NACK情報を送信し得る。1435の動作は、本明細書で説明される方法に従って実行され得る。いくつかの例では、1435の動作の態様は、図5から図8を参照して説明されたようなSR送信構成要素によって実行され得る。
【０１７７】
別の選択肢では、1440において、UE115は、UE115に示された決定されたフォーマットを有する第1のアップリンク制御チャネルメッセージの直近の事例を特定し得る。1440の動作は、本明細書で説明される方法に従って実行され得る。いくつかの例では、1440の動作の態様は、図5から図8を参照して説明されたようなフォーマットマネージャによって実行され得る。
【０１７８】
1445において、UE115は、直近の事例に基づいてSRおよびACK/NACK情報の送信のために使用されるべき第1のアップリンク制御チャネルメッセージのリソースを決定し得る。1445の動作は、本明細書で説明される方法に従って実行され得る。いくつかの例では、1445の動作の態様は、図5から図8を参照して説明されたようなリソース構成要素によって実行され得る。
【０１７９】
1450において、UE115は、第1のアップリンク制御チャネルメッセージの決定されたリソース上でSRおよびACK/NACK情報を送信し得る。1450の動作は、本明細書で説明される方法に従って実行され得る。いくつかの例では、1450の動作の態様は、図5から図8を参照して説明されたようなSR送信構成要素によって実行され得る。
【０１８０】
図15は、本開示の態様による、SRおよびUCIのためのコリジョンの回避のための方法1500を示すフローチャートを示す。方法1500の動作は、本明細書で説明されるような、UE115またはその構成要素によって実装され得る。たとえば、方法1500の動作は、図5から図8を参照して説明されたようなUE通信マネージャによって実行され得る。いくつかの例では、UE115は、本明細書で説明される機能を実行するようにデバイスの機能要素を制御するためのコードのセットを実行し得る。追加または代替として、UE115は、本明細書で説明される機能の態様を、専用ハードウェアを使用して実行し得る。
【０１８１】
1505において、UE115は、第1のTTI持続時間を有する第1のアップリンク制御チャネルメッセージ上でSRが送信されるべきであることを特定し得る。1505の動作は、本明細書で説明される方法に従って実行され得る。いくつかの例では、1505の動作の態様は、図5から図8を参照して説明されたようなSR構成要素によって実行され得る。
【０１８２】
1510において、UE115は、第1のTTI持続時間より長い第2のTTI持続時間を有する第2のアップリンク制御チャネルメッセージ上での送信についてACK/NACK情報がスケジューリングされていることを特定することができ、第1のアップリンク制御チャネルメッセージおよび第2のアップリンク制御チャネルメッセージは時間的に重複する。1510の動作は、本明細書で説明される方法に従って実行され得る。いくつかの例では、1510の動作の態様は、図5から図8を参照して説明されたようなコリジョンマネージャによって実行され得る。
【０１８３】
1515において、UE115は、ACK/NACK情報のサイズに基づいて第1のアップリンク制御チャネルメッセージのフォーマットを決定することができ、第1のアップリンク制御チャネルメッセージのフォーマットはリソースのセットに対応する。1515の動作は、本明細書で説明される方法に従って実行され得る。いくつかの例では、1515の動作の態様は、図5から図8を参照して説明されたようなフォーマットマネージャによって実行され得る。
【０１８４】
1520において、UE115は、第1のアップリンク制御チャネルメッセージが第2のアップリンク制御チャネルメッセージと重複することに基づいて、第1のアップリンク制御チャネルメッセージ上でSRとともにACK/NACK情報が送信されるべきであることを決定し得る。1520の動作は、本明細書で説明される方法に従って実行され得る。いくつかの例では、1520の動作の態様は、図5から図8を参照して説明されたようなSR構成要素によって実行され得る。
【０１８５】
1525において、UE115は、フォーマットに従ってSRおよびACK/NACK情報を送信するために使用されるべきリソースのセットからの2つ以上のリソースを示すSR構成を特定することができ、決定されるリソースはSR構成に基づいて2つ以上のリソースから選択される。1525の動作は、本明細書で説明される方法に従って実行され得る。いくつかの例では、1525の動作の態様は、図5から図8を参照して説明されたような構成マネージャによって実行され得る。
【０１８６】
1530において、UE115は、第1のアップリンク制御チャネルメッセージのリソースに対するコーディングレート閾値を特定し得る。1530の動作は、本明細書で説明される方法に従って実行され得る。いくつかの例では、1530の動作の態様は、図5から図8を参照して説明されたようなエンコーダによって実行され得る。
【０１８７】
1535において、UE115は、SRおよびACK/NACK情報の送信のために使用されるべき第1のアップリンク制御チャネルメッセージのリソースを決定し得る。いくつかの場合、第1のアップリンク制御チャネルメッセージのリソースを決定することは、コーディングレート閾値、ACK/NACK情報のサイズ、およびCRCビットの数に基づいて、2つ以上のリソースからリソースを決定することを含む。1535の動作は、本明細書で説明される方法に従って実行され得る。いくつかの例では、1535の動作の態様は、図5から図8を参照して説明されたようなリソース構成要素によって実行され得る。
【０１８８】
1540において、UE115は、第1のアップリンク制御チャネルメッセージの決定されたリソース上でSRおよびACK/NACK情報を送信し得る。1540の動作は、本明細書で説明される方法に従って実行され得る。いくつかの例では、1540の動作の態様は、図5から図8を参照して説明されたようなSR送信構成要素によって実行され得る。
【０１８９】
図16は、本開示の態様による、SRおよびUCIのためのコリジョンの回避のための方法1600を示すフローチャートを示す。方法1600の動作は、本明細書で説明されるような、UE115またはその構成要素によって実装され得る。たとえば、方法1600の動作は、図5から図8を参照して説明されたようなUE通信マネージャによって実行され得る。いくつかの例では、UE115は、本明細書で説明される機能を実行するようにデバイスの機能要素を制御するためのコードのセットを実行し得る。追加または代替として、UE115は、本明細書で説明される機能の態様を、専用ハードウェアを使用して実行し得る。
【０１９０】
1605において、UE115は、アップリンク制御メッセージのために使用されるべきアップリンク制御チャネルの制御チャネルリソースのセットの指示を受信し得る。1605の動作は、本明細書で説明される方法に従って実行され得る。いくつかの例では、1605の動作の態様は、図5から図8を参照して説明されたようなリソース構成要素によって実行され得る。
【０１９１】
1610において、UE115は、アップリンク制御メッセージに対するコーディングレート閾値を特定し得る。1610の動作は、本明細書で説明される方法に従って実行され得る。いくつかの例では、1610の動作の態様は、図5から図8を参照して説明されたようなアップリンク制御メッセージ構成要素によって実行され得る。
【０１９２】
1615において、UE115は、アップリンク制御メッセージのペイロードサイズを決定し得る。1615の動作は、本明細書で説明される方法に従って実行され得る。いくつかの例では、1615の動作の態様は、図5から図8を参照して説明されたようなアップリンク制御メッセージ構成要素によって実行され得る。
【０１９３】
1620において、UE115は、制御チャネルリソースのセットから、コーディングレート閾値およびアップリンク制御メッセージの決定されたペイロードサイズに基づいて制御チャネルリソースを選択し得る。1620の動作は、本明細書で説明される方法に従って実行され得る。いくつかの例では、1620の動作の態様は、図5から図8を参照して説明されたようなリソース構成要素によって実行され得る。
【０１９４】
1625において、UE115は、選択された制御チャネルリソースを使用して、アップリンク制御メッセージを基地局105に送信し得る。1625の動作は、本明細書で説明される方法に従って実行され得る。いくつかの例では、ブロック1625の動作の態様は、図5から図8を参照して説明されたようなUCI送信機によって実行され得る。
【０１９５】
図17は、本開示の態様による、SRおよびUCIのためのコリジョンの回避のための方法1700を示すフローチャートを示す。方法1700の動作は、本明細書で説明されるような、基地局105またはその構成要素によって実施され得る。たとえば、方法1700の動作は、図9から図12を参照して説明されたような、基地局通信マネージャによって実行され得る。いくつかの例では、基地局105は、本明細書で説明される機能を実行するようにデバイスの機能要素を制御するためのコードのセットを実行し得る。追加または代替として、基地局105は、本明細書で説明される機能の態様を、専用ハードウェアを使用して実行し得る。
【０１９６】
1705において、基地局105は、アップリンク制御メッセージのフォーマットおよびコーディングレート閾値に基づいて、アップリンク制御メッセージの送信のためのアップリンク制御チャネルのリソースのセットを構成することができ、アップリンク制御メッセージは第2のTTI持続時間より短い第1のTTI持続時間を有する。1705の動作は、本明細書で説明される方法に従って実行され得る。いくつかの例では、1705の動作の態様は、図9から図12を参照して説明されたようなリソース構成マネージャによって実行され得る。
【０１９７】
1710において、基地局105は、ユーザ機器(UE)に、アップリンク制御メッセージのために使用すべきアップリンク制御チャネルのリソースのセットの指示を送信し得る。1710の動作は、本明細書で説明される方法に従って実行され得る。いくつかの例では、ブロック1710の動作の態様は、図9から図12を参照して説明されたようなリソース構成マネージャによって実行され得る。
【０１９８】
本明細書で説明される方法は可能な実装形態を表すこと、動作およびステップが再構成されるかまたは別様に変更され得ること、ならびに他の実装形態が可能であることに留意されたい。さらに、方法のうちの2つ以上からの態様が、組み合わせられ得る。
【０１９９】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、Universal Terrestrial Radio Access (UTRA)などの無線技術を実装し得る。CDMA2000は、IS-2000、IS-95、およびIS-856規格をカバーする。IS-2000 Releaseは、CDMA2000 1X、1Xなどと一般に呼ばれ得る。IS-856(TIA-856)は、CDMA2000 1xEV-DO、High Rate Packet Data (HRPD)などと一般に呼ばれる。UTRAは、Wideband CDMA(WCDMA(登録商標))およびCDMAの他の変形を含む。TDMAシステムは、Global System for Mobile Communications (GSM)などの無線技術を実装し得る。
【０２００】
OFDMAシステムは、Ultra Mobile Broadband (UMB)、E-UTRA、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、Universal Mobile Telecommunications System (UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)という名称の団体からの文書に記載されている。CDMA2000およびUMBは、「第3世代パートナーシッププロジェクト2」(3GPP2)という名称の団体からの文書に記載されている。本明細書で説明された技法は、上述のシステムおよび無線技術、ならびに他のシステムおよび無線技術に使用され得る。LTE、LTE-A、LTE-A Pro、またはNRシステムの態様が、例として説明されることがあり、LTE、LTE-A、LTE-A Pro、またはNR用語が、説明の大部分において使用されることがあるが、本明細書で説明された技法は、LTE、LTE-A、LTE-A Pro、またはNR適用例以外に適用可能である。
【０２０１】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105と関連付けられることがあり、スモールセルは、マクロセルと同じまたはマクロセルとは異なる(たとえば、免許、免許不要など)周波数帯域において動作することがある。スモールセルは、様々な例によれば、ピコセル、フェムトセル、およびマイクロセルを含み得る。ピコセルは、たとえば、小さい地理的エリアをカバーすることができ、ネットワークプロバイダのサービスに加入しているUE115による無制限アクセスを可能にし得る。フェムトセルはまた、小さい地理的エリア(たとえば、自宅)をカバーしてもよく、フェムトセルとの関連付けを有するUE115(たとえば、限定加入者グループ(CSG)内のUE115、自宅内のユーザのためのUE115など)による制限付きアクセスを可能にし得る。マクロセルのためのeNBは、マクロeNBと呼ばれ得る。スモールセルのためのeNBは、スモールセルeNB、ピコeNB、フェムトeNB、またはホームeNBと呼ばれ得る。eNBは、1つまたは複数(たとえば、2つ、3つ、4つなど)のセルをサポートすることができ、1つまたは複数のCCを使用する通信もサポートし得る。
【０２０２】
本明細書で説明される1つまたは複数のワイヤレス通信システム100は、同期動作または非同期動作をサポートし得る。同期動作の場合、基地局105は、同様のフレームタイミングを有することがあり、異なる基地局105からの送信は、時間的にほぼ揃えられることがある。非同期動作の場合、基地局105は、異なるフレームタイミングを有することがあり、異なる基地局105からの送信は、時間的に揃えられないことがある。本明細書で説明される技法は、同期動作または非同期動作のいずれかのために使用され得る。
【０２０３】
本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２０４】
本明細書の開示に関して説明された様々な例示的なブロックおよびモジュールは、汎用プロセッサ、DSP、ASIC、FPGAもしくは他のプログラマブル論理デバイス(PLD)、個別ゲートもしくはトランジスタ論理構成要素、個別ハードウェア構成要素、または本明細書で説明された機能を実行するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０２０５】
本明細書で説明された機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとして、コンピュータ可読媒体上に記憶され、またはコンピュータ可読媒体を介して送信され得る。他の例および実装形態が、本開示および添付の特許請求の範囲の範囲内に入る。たとえば、ソフトウェアの性質に起因して、本明細書で説明する機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的位置において実装されるように分散されることを含めて、様々な場所に物理的に位置し得る。
【０２０６】
コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気ストレージデバイス、あるいは、命令またはデータ構造の形態の所望のプログラムコード手段を担持または記憶するために使用され、汎用コンピュータもしくは専用コンピュータまたは汎用プロセッサもしくは専用プロセッサによってアクセスされ得る任意の他の非一時的媒体を含み得る。また、任意の接続が、適切にコンピュータ可読媒体と呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用されるディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ディスク(disk)は、通常、データを磁気的に再生し、ディスク(disc)は、データをレーザーで光学的に再生する。上記の組合せも、コンピュータ可読媒体の範囲内に含まれる。
【０２０７】
特許請求の範囲内を含めて本明細書で使用される項目のリスト(たとえば、「のうちの少なくとも1つ」または「のうちの1つまたは複数」などの句で終わる項目のリスト)において使用される「または」は、たとえば、A、B、またはCのうちの少なくとも1つのリストが、AまたはBまたはCまたはABまたはACまたはBCまたはABC(すなわち、AおよびBおよびC)を意味するような、包括的リストを示す。また、本明細書で使用される「に基づいて」という句は、条件の閉集合を指すものと解釈されるべきではない。たとえば、「条件Aに基づいて」として説明される例示的なステップは、本開示の範囲から逸脱することなく、条件Aと条件Bの両方に基づき得る。言い換えれば、本明細書で使用される「に基づいて」という句は、「に少なくとも部分的に基づいて」という句と同様に解釈されるべきである。
【０２０８】
添付の図では、同様の構成要素または特徴は同じ参照ラベルを有し得る。さらに、同じタイプの様々な構成要素は、参照ラベルの後に、ダッシュと、それらの同様の構成要素を区別する第2のラベルとを続けることによって区別され得る。第1の参照ラベルのみが本明細書で使用される場合、説明は、第2の参照ラベル、または他の後続の参照ラベルにかかわらず、同じ第1の参照ラベルを有する同様の構成要素のうちのいずれにも適用可能である。
【０２０９】
添付の図面に関して本明細書に記載された説明は、例示的な構成を説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。発明を実施するための形態は、説明される技法の理解をもたらすための具体的な詳細を含む。しかしながら、これらの技法は、これらの具体的な詳細なしに実践され得る。いくつかの事例では、説明される例の概念を不明瞭にすることを回避するために、よく知られている構造およびデバイスがブロック図の形式で示される。
【０２１０】
本明細書の説明は、当業者が本開示を作成または使用することを可能にするように与えられる。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【符号の説明】
【０２１１】
105  基地局
110  地理的カバレッジエリア
115  基地局通信マネージャ
125  通信リンク
130  コアネットワーク
132  バックホールリンク
134  バックホールリンク
205  通信リンク
210  PUCCH/PUSCH
220  HARQ ACK/NACK
225  SR
310  PUCCH/PUSCH
315  sPUCCH
505  ワイヤレスデバイス
510  受信機
515  UE通信マネージャ
520  送信機
605  ワイヤレスデバイス
610  受信機
615  UE通信マネージャ
620  送信機
625  SR構成要素
630  コリジョンマネージャ
635  リソース構成要素
640  SR送信構成要素
645  アップリンク制御メッセージ構成要素
650  UCI送信機
715  UE通信マネージャ
720  SR構成要素
725  コリジョンマネージャ
730  リソース構成要素
735  SR送信構成要素
740  アップリンク制御メッセージ構成要素
745  UCI送信機
750  フォーマットマネージャ
755  構成マネージャ
760  エンコーダ
810  バス
815  UE通信マネージャ
820  プロセッサ
825  メモリ
830  ソフトウェア
835  トランシーバ
840  アンテナ
845  I/Oコントローラ
905  ワイヤレスデバイス
910  受信機
915  基地局通信マネージャ
920  送信機
1005  ワイヤレスデバイス
1010  受信機
1015  基地局通信マネージャ
1020  送信機
1025  制御チャネルフォーマット構成要素
1030  コーディングレート閾値構成要素
1035  リソース構成マネージャ
1115  基地局通信マネージャ
1120  制御チャネルフォーマット構成要素
1125  コーディングレート閾値構成要素
1130  リソース構成マネージャ
1205  デバイス
1210  バス
1215  基地局通信マネージャ
1220  プロセッサ
1225  メモリ
1230  ソフトウェア
1235  トランシーバ
1240  アンテナ
1245  ネットワーク通信マネージャ
1250  局間通信マネージャ
【図１】
2021513258.tif 000003
【図２】
2021513258.tif 000004
【図３】
2021513258.tif 000005
【図４】
2021513258.tif 000006
【図５】
2021513258.tif 000007
【図６】
2021513258.tif 000008
【図７】
2021513258.tif 000009
【図８】
2021513258.tif 000010
【図９】
2021513258.tif 000011
【図１０】
2021513258.tif 000012
【図１１】
2021513258.tif 000013
【図１２】
2021513258.tif 000014
【図１３】
2021513258.tif 000015
【図１４】
2021513258.tif 000016
【図１５】
2021513258.tif 000017
【図１６】
2021513258.tif 000018
【図１７】
2021513258.tif 000019
【国際調査報告】
2021513258.tif 000020
2021513258.tif 000021
2021513258.tif 000022
2021513258.tif 000023
2021513258.tif 000024